(57)【要約】  アルミノホスフェート系モレキュラーシーブを合成するための方法が記載される。この方法は、（ａ）水、置換炭化水素、及び１−オキサ−４−アザシクロヘキサン誘導体を含む水性混合物を作製する工程；（ｂ）水性混合物を反応させる工程；（ｃ）オルガノ−１−オキサ−４−アゾニウムシクロヘキサン化合物を含む溶液を得る工程；（ｄ）Ａｌ及びＰの反応性源、並びにこの溶液を含む反応混合物を形成する工程；並びに（ｅ）反応混合物を加熱して、モレキュラーシーブを形成する工程を含んでよい。【選択図】図１
2018500264.tif 000002
【特許請求の範囲】
【請求項１】
（ａ）水、置換炭化水素、及び１−オキサ−４−アザシクロヘキサン誘導体を含む水性混合物を作製すること、
（ｂ）前記水性混合物を反応させること、
（ｃ）オルガノ−１−オキサ−４−アゾニウムシクロヘキサン化合物を含む溶液を得ること、
（ｄ）Ａｌ及びＰの反応性源、及び前記溶液を含む反応混合物を形成すること、及び
（ｅ）前記反応混合物を加熱して、モレキュラーシーブを形成すること、
を含む、アルミノホスフェート系モレキュラーシーブを合成するための方法。
【請求項２】
前記水性混合物を反応させる前記工程が、２０℃から１００℃の温度で行われる、請求項１に記載の方法。
【請求項３】
前記置換炭化水素が、ブロモエタン、ヨードエタン、クロロプロパン、ブロモプロパン、ヨードプロパン、クロロブタン、１−ブロモブタン、２−ブロモブタン、ヨードブタン、１−ブロモ−２−メチルプロパン、２−ブロモ−２−メチルプロパン、クロロペンタン、ブロモペンタン、ヨードペンタン、２−ブロモペンタン、クロロヘキサン、ブロモヘキサン、ヨードヘキサン、ベンジルハライド、１−クロロ−２−フェニルエタン、１−ブロモ−２−フェニルエタン、１−ヨード−２−フェニルエタン、１−ハロメタンナフタレン、２−ハロメタンナフタレン、及びｐが４から１０の範囲である式ＣｐＨ２ｐ−１を有するハロ置換非オレフィン系アルキル基、並びにこれらの組み合わせ、から成る群より選択されるハロゲン置換アルカンである、請求項１または請求項２に記載の方法。
【請求項４】
前記置換炭化水素が、１，３−ジクロロプロパン、１，４−ジクロロブタン、１，５−ジクロロペンタン、１，６−ジクロロヘキサン、１，３−ジブロモプロパン、１，４−ジブロモブタン、１，５−ジブロモペンタン、１，６−ジブロモヘキサン、１，３−ジヨードプロパン、１，４−ジヨードブタン、１，５−ジヨードペンタン、１，６−ジヨードヘキサン、１，２−ジブロモプロパン、１，３−ジブロモブタン、１，３−ジブロモペンタン、１，４−ジブロモペンタン、２，４−ジブロモペンタン、１，５−ジブロモヘキサン、１，４−ジブロモヘキサン、１，３−ジブロモヘキサン、２，４−ジブロモヘキサン、２，５−ジブロモヘキサン、２，５−ジブロモ−３−メチルヘキサン、２，５−ジブロモ−３，３−ジメチルヘキサン、１，４−ジブロモ−２−エチルブタン、及び１，２−ジブロモ−２−フェニルエタン、並びにこれらの組み合わせ、から成る群より選択される２から８個の炭素原子を有するジハロゲン置換アルカンである、請求項１または請求項２に記載の方法。
【請求項５】
前記置換炭化水素が、１，２，３−トリブロモプロパン、１，２，４−トリブロモブタン、１，２，３−トリブロモブタン、１，３，５−トリブロモペンタン、１，２，４−トリブロモペンタン、１，２，３−トリブロモペンタン、１，３，６−トリブロモヘキサン、１，２，４−トリブロモヘキサン、１，２，５−トリブロモヘキサン、１，２，６−トリブロモヘキサン、１，３，４−トリブロモヘキサン、及び１，３，５−トリブロモヘキサン、並びにこれらの組み合わせ、から成る群より選択される３から８個の炭素原子を有するトリハロゲン置換アルカンである、請求項１または請求項２に記載の方法。
【請求項６】
前記１−オキサ−４−アザシクロヘキサン誘導体が、
式５：
２−Ｒ１−２−Ｒ２−３−Ｒ３−３−Ｒ４−４−Ｒ９−５−Ｒ５−５−Ｒ６−６−Ｒ７−６−Ｒ８−１−オキサ−４−アザシクロヘキサン
の構造を有し、式中、Ｒ１〜Ｒ９は、独立して、Ｈ、又は式ＣｎＨ２ｎ＋１を有するアルキル基から選択され、ここで、ｎは、１から４の範囲であり、及び前記分子中のＣ原子の総数は、４から１０の範囲である、請求項１または請求項２に記載の方法。
【請求項７】
前記オルガノ−１−オキサ−４−アゾニウムシクロヘキサン化合物が、
式１：
２−Ｒ１−２−Ｒ２−３−Ｒ３−３−Ｒ４−４−Ｒ９−４−Ｒ１０−５−Ｒ５−５−Ｒ６−６−Ｒ７−６−Ｒ８−１−オキサ−４−アゾニウムシクロヘキサン＋−Ｘ−
の構造を有し、式中、Ｒ１〜Ｒ８は、独立して、Ｈ、若しくは式ＣｎＨ２ｎ＋１を有するアルキル基から選択され、ここで、ｎは、１から４の範囲であり；Ｒ９及びＲ１０は、環サイズｑのヘテロ環を形成する式ＣｍＨ２ｍを有する環状アルキル基を形成し、ここで、ｍは、４から８の範囲であり、ｑは、５からｍ＋１の範囲であり；Ｘは、ハライド若しくはヒドロキシドであり；並びに、前記分子中のＣ原子の総数は、８から１７の範囲であるか；
又は、
式２：
［ビス−Ν，Ν’−ジＲ９−（２，２’−ジＲ１−２，２’−ジＲ２−３，３’−ジＲ３−３，３’−ジＲ４−５，５’−ジＲ５−５，５’−ジＲ６−６，６’−ジＲ７−６，６’−ジＲ８−１，１’−オキサ−４，４’−アゾニウムシクロヘキサン）−Ｒ１０］２＋２Ｘ−
の構造を有し、式中、Ｒ１〜Ｒ９は、独立して、Ｈ、若しくは式ＣｎＨ２ｎ＋１を有するアルキル基から選択され、ここで、ｎは、１から４の範囲であり、Ｘは、ハライド若しくはヒドロキシドであり、前記分子中のＣ原子の総数は、１１から２４の範囲であり、並びにＲ１０は、ｍが３から８の範囲である式ＣｍＨ２ｍを有するアルキル基であり、ｘ及びｙが１からｍより独立して選択される前記アルキル鎖の位置ｘ及びｙで４及び４’Ｎ原子と結合しているか、
又は、
式３：
［トリス−Ν，Ν’，Ｎ”−トリＲ９−（２，２’，２”−トリＲ１−２，２’，２”−トリＲ２−３，３’，３”−トリＲ３−３，３’，３”−トリＲ４−５，５’，５”−トリＲ５−５，５’，５”−トリＲ６−６，６’，６”−トリＲ７−６，６’，６”−トリＲ８−１，１’，１”−オキサ−４，４’，４”−アゾニウムシクロヘキサン）−Ｒ１０］３＋３Ｘ−
の構造を有し、式中、Ｒ１〜Ｒ９は、独立して、Ｈ、若しくは式ＣｎＨ２ｎ＋１を有するアルキル基から選択され、ここで、ｎは、１から４の範囲であり、Ｘは、ハライド又はヒドロキシドであり、前記分子中のＣ原子の総数は、１５から３６の範囲であり、並びにＲ１０は、ｍが３から８の範囲である式ＣｍＨ２ｍ−１を有するアルキル基であり、ｘ、ｙ、及びｚが１からｍより独立して選択される前記アルキル鎖の位置ｘ、ｙ、及びｚで４、４’、及び４”Ｎ原子と結合しているか、
又は、
式４：
２−Ｒ１−２−Ｒ２−３−Ｒ３−３−Ｒ４−４−Ｒ９−４−Ｒ１０−５−Ｒ５−５−Ｒ６−６−Ｒ７−６−Ｒ８−１−オキサ−４−アゾニウムシクロヘキサン＋−Ｘ−
の構造を有し、式中、Ｒ１〜Ｒ９は、独立して、Ｈ、若しくは式ＣｎＨ２ｎ＋１を有するアルキル基から選択され、Ｒ１０は、ｎが１から４の範囲である式ＣｎＨ２ｎ＋１を有するアルキル基、ベンジル、１−メチルナフタレン、２−メチルナフタレン、及びｐが４から１０の範囲である式ＣｐＨ２ｐ−１を有する非オレフィン系アルキル基から選択され、Ｘは、ハライド若しくはヒドロキシドであり、並びに前記分子中のＣ原子の総数は、４から１６の範囲であるか、
又は、これらの組み合わせである、請求項１または請求項２に記載の方法。
【請求項８】
前記工程（ｄ）が、Ａｌ、Ｓｉ、Ｐの反応性源、及び所望に応じて含まれてよい結晶モレキュラーシーブのシードの第一の混合物を形成すること、及び、前記第一の混合物を冷却することなく、前記第一の混合物に前記溶液を添加することを含む、請求項１または請求項２に記載の方法。
【請求項９】
前記工程（ｄ）が、酸化物のモル比という意味で表される組成：
ｒＲ：Ａｌ２Ｏ３：ｅＭｅＯｊ／２：ｐＰ２Ｏ５：ｓＳｉＯ２：ｇＨ２Ｏ
の反応混合物を形成することを含み、ここで、「ｒ」は、０．０１から１０の値を有し、「ｅ」は、０から１．０の値を有し、「ｊ」は、２から４の値を有し、「ｐ」は、０．５から８．０の値を有し、「ｓ」は、０から１．０の値を有し、「ｇ」は、５から４０００の値を有する、請求項１または請求項２に記載の方法。
【請求項１０】
（ａ）水、置換炭化水素、及び１−オキサ−４−アザシクロヘキサン誘導体を含む水性混合物を作製すること、
（ｂ）前記水性混合物を反応させること、
（ｃ）オルガノ−１−オキサ−４−アゾニウムシクロヘキサン化合物を含む溶液を得ること、
（ｄ）Ａｌ及びＰの反応性源、及び前記溶液を含む反応混合物を形成すること、及び
（ｅ）前記反応混合物を加熱して、モレキュラーシーブを形成すること、
を含む方法によって作製されたアルミノホスフェート系モレキュラーシーブ。
【発明の詳細な説明】
【技術分野】
【０００１】
優先権の記載
本出願は、その内容全体が参照により本明細書に援用される２０１４年１２月４日に出願された米国特許出願第１４／５６１，１２１号の優先権を主張するものである。
【０００２】
技術分野
本発明は、新規なオルガノ−１−オキサ−４−アゾニウムシクロヘキサン化合物、その四級アンモニウム塩を作製するための方法、及びアルミノホスフェート又はシリコアルミノホスフェートモレキュラーシーブの合成におけるその四級アンモニウム塩の使用に関する。
【背景技術】
【０００３】
モレキュラーシーブの種類としては、多孔性であり、頂点共有ＡｌＯ４／２及びＰＯ４／２四面体から形成される結晶アルミノホスフェート、シリコアルミノホスフェート、又はメタロアルミノホスフェート組成物が挙げられる。１９８２年、Wilson et. al.によって、アルミノホスフェートモレキュラーシーブ、いわゆるＡｌＰＯが最初に報告され、これは、シリカを含まないが、ゼオライトと同じ特性を多く有する多孔性物質である（米国特許第４，３１０，４４０号参照）。その後、Lok, et. al.（米国特許第４，４４０，８７１号参照）によって報告されたように、ＰＯ４／２＋四面体をＳｉＯ４／２四面体で置換することによって中性アルミノホスフェートフレームワークに電荷が導入され、ＳＡＰＯモレキュラーシーブが作製された。中性アルミノホスフェートにフレームワーク電荷を導入する別の方法は、ＡｌＯ４／２−四面体を［Ｍｅ２＋Ｏ４／２］２−四面体で置換することであり、これによって、ＭｅＡＰＯモレキュラーシーブが得られる（米国特許第４，５６７，０２９号参照）。ＳｉＯ４／２及び［Ｍｅ２＋Ｏ４／２］２−四面体を同時にフレームワークに導入することによって、ＡｌＰＯ系モレキュラーシーブにフレームワーク電荷を導入することも可能であり、これによって、ＭｅＡＰＳＯモレキュラーシーブが得られる（米国特許第４，９７３，７８５号参照）。
【０００４】
天然及び合成作製の両方について、数多くのモレキュラーシーブが、様々な工業プロセスに用いられている。合成では、これらのモレキュラーシーブは、適切なＳｉ、Ａｌ、Ｐ源、及びアミン又はオルガノアンモニウムカチオンなどの構造指向剤を用いた水熱合成によって作製される。構造指向剤は、モレキュラーシーブの細孔中に存在し、最終的に形成される特定の構造を主として担っている。これらの種は、アルミノホスフェート組成物中のケイ素又はＺｎなどのその他の金属に伴うフレームワーク電荷を相殺し得るものであり、四面体ネットワークフレームワークを安定化させるための空間充填剤としても働くことができる。モレキュラーシーブは、均一な寸法の細孔開口部を有すること、高いイオン交換能を有すること、及び恒久的なモレキュラーシーブ結晶構造を構成するいずれの原子も大きく移動させることなく、結晶の内部空隙全体に分散されている吸着相を可逆的に脱着する能力を有することを特徴とする。モレキュラーシーブは、炭化水素変換反応における触媒として用いることができ、反応は、外側表面上、さらには細孔内の内側表面上でも発生することができる。
【０００５】
モレキュラーシーブ物質の合成は、多くの場合、有機構造指向剤（ＯＳＤＡ）として知られるオルガノアミノテンプレート又はオルガノアンモニウムテンプレートの使用に依存している。テトラメチルアンモニウム、テトラエチルアンモニウム、及びテトラプロピルアンモニウムなどの単純なＯＳＤＡは市販されている一方で、ＯＳＤＡは、合成が困難で高価である複雑な分子である場合が多いが、しかし、その重要性は、その構造的特徴の態様をモレキュラーシーブに付与して望ましい細孔構造を得るその能力にある。例えば、ＯＳＤＡとして１，４，７，１０，１３，１６−ヘキサメチル−１，４，７，１０，１３，１６−ヘキサアザシクロオクタデカンを用いると、ＳＴＡ−７、ＳＡＶゼオタイプのアルミノホスフェート系物質の合成が可能となることが示されており（Wright, et.al. J. Chem. Soc, Dalton Trans., 2000, 1243-1248）；４，７，１３，１６，２１，２４−ヘキサオキサ−１，１０−ジアザビシクロ［８．８．８］ヘキサコサン（「Ｋｒｙｐｔｏｆｉｘ ２２２」）を用いると、ＡｌＰＯ４−４２の合成が得られ（Schreyeck, et.al. Micro. Meso. Mater. 1998, 22, 87-106）；米国特許第４，５６７，０２９号には、ＭＡＰＯ−３５、ＬＥＶトポロジーを有するマグネシウムアルミノホスフェート物質が開示されており、ここでは、キヌクリジンが構造指向剤として用いられ；並びに米国特許第４，９７３，７８５号には、ＭｅＡＰＳＯ組成のＣｏＡＰＳＯ−３５が開示されており、これは、Ａｌ及びＰに加えてコバルト及びケイ素の両方をフレームワーク中に含有し、メチルキヌクリジンが構造指向剤として用いられている。
【０００６】
本技術分野において、複雑なオルガノアンモニウムＳＤＡの使用から、多くの場合、新規なモレキュラーシーブ物質が得られることが明らかに示されている。しかし、このような複雑なオルガノアンモニウム化合物の合成は、非常に時間がかかり、多くの段階を必要とし、有機溶媒中であることが多く、それによって、新規なモレキュラーシーブ物質の開発が妨げられている。単純な市販のＯＳＤＡの場合であっても、多くの場合、ＯＳＤＡは、モレキュラーシーブ物質の合成に用いられる最も高価な成分である。従って、市販のオルガノアンモニウムＳＤＡから、又は市販の出発物質から容易に合成され得るＳＤＡから新規なモレキュラーシーブを合成することは、経済的に有利であろう。
【０００７】
単純な市販のアミンであるモルホリン（テトラヒドロ−１，４−オキサジン）は、アルミノホスフェート系モレキュラーシーブの合成にこれまでに用いられてきており、ＣＨＡタイプのモレキュラーシーブが得られることが示されているが（Marchese, et.al. Micro. Meso. Mater. 1999, 30, 145-53；Ito, et.al. Acta Cryst. 1985, C41, 1698-1700）、その他の構造タイプのモレキュラーシーブが得られることは依然として示されていない。加えて、モルホリンの蒸気圧は比較的高く、このことにより、低蒸気圧のオルガノアンモニウムＳＤＡが好ましいことから、その商業的スケールでの使用は問題となる。
【発明の概要】
【０００８】
これまでに考察した複雑なＯＳＤＡは、ｅｘ−ｓｉｔｕで合成され、反応混合物に複数の点で添加されたものである。しかし、ｅｘ−ｓｉｔｕ合成の１つの欠点は、プロセスが、典型的には有機溶媒の存在下で行われることであり、このことにより、ＳＤＡを不要な有機物質から回収するために、少なくとも１つの望ましくない精製工程が必要となる。
【０００９】
従って、新規なオルガノ−１−オキサ−４−アゾニウムシクロヘキサン化合物が、本技術分野において必要とされている。このようなオルガノ−１−オキサ−４−アゾニウムシクロヘキサン化合物が、アルミノシリケート、シリケート、アルミノホスフェート、又はシリコアルミノホスフェート組成物のためのＳＤＡとして有用であることが望ましい。
【００１０】
本発明は、置換炭化水素及び本質的にピラミッド反転を起こすことができないアミンの予め反応させた水溶液を作製するための方法を開示し、これは、後述する問題点を克服するものである。本発明者らは、置換炭化水素及びアミンを、水溶液中、室温（又は僅かにそれよりも高い温度）で反応させることで、ＯＳＤＡを含む水溶液を得ることができるという驚くべき発見を成した。この方法は、参照により本明細書に援用される米国特許出願第１４／５５２，６５４号に、広範な種類のアミンに対して開示されている。次に、この溶液は、精製を行うことなく、モレキュラーシーブの合成に用いることができる。この手順により、容易に入手可能である出発試薬から、容易で実用的な方法で、特殊な四級アンモニウム塩などのＳＤＡを作製することが可能となる。
【００１１】
本発明の方法によって作製されたＯＳＤＡは、水溶液であり、臭気を呈することがなく、引火点の懸念もない。その結果、従来になく、ｉｎ−ｓｉｔｕでのゼオライト反応混合物の作製において典型的に必要とされる冷却工程を省略し、ｅｘ−ｓｉｔｕでの作製法で典型的に必要とされる有機溶媒の蒸発などの精製工程を回避することができる。
【００１２】
本発明の１つの態様は、１−オキサ−４−アゾニウムシクロヘキサン塩を含む新規なモルホリニウム化合物である。１つのバージョンでは、１−オキサ−４−アゾニウムシクロヘキサン塩は、式１：
２−Ｒ１−２−Ｒ２−３−Ｒ３−３−Ｒ４−４−Ｒ９−４−Ｒ１０−５−Ｒ５−５−Ｒ６−６−Ｒ７−６−Ｒ８−１−オキサ−４−アゾニウムシクロヘキサン＋−Ｘ−、
の構造を有し、式中、Ｒ１〜Ｒ８は、独立して、Ｈ、又は式ＣｎＨ２ｎ＋１を有するアルキル基から選択され、ここで、ｎは、１から４の範囲であり；Ｒ９及びＲ１０は、環サイズｑのヘテロ環を形成する式ＣｍＨ２ｍを有する環状アルキル基を形成し、ここで、ｍは、４から８の範囲であり、ｑは、５からｍ＋１の範囲であり；Ｘは、ハライド又はヒドロキシドであり；並びに、分子中のＣ原子の総数は、８から１７の範囲である。
【００１３】
１−オキサ−４−アゾニウムシクロヘキサン塩の別のバージョンは、式２：
［ビス−Ν，Ν’−ジＲ９−（２，２’−ジＲ１−２，２’−ジＲ２−３，３’−ジＲ３−３，３’−ジＲ４−５，５’−ジＲ５−５，５’−ジＲ６−６，６’−ジＲ７−６，６’−ジＲ８−１，１’−オキサ−４，４’−アゾニウムシクロヘキサン）−Ｒ１０］２＋２Ｘ−、
の構造を有し、式中、Ｒ１〜Ｒ９は、独立して、Ｈ、又は式ＣｎＨ２ｎ＋１を有するアルキル基から選択され、ここで、ｎは、１から４の範囲であり；Ｘは、ハライド又はヒドロキシドであり；分子中のＣ原子の総数は、１１から２４の範囲であり、並びにＲ１０は、ｍが３から８の範囲である式ＣｍＨ２ｍを有するアルキル基であり、ｘ及びｙが１からｍより独立して選択されるアルキル鎖の位置ｘ及びｙで４及び４’Ｎ原子と結合している。
【００１４】
１−オキサ−４−アゾニウムシクロヘキサン塩のなお別のバージョンは、式３：
［トリス−Ν，Ν’，Ｎ”−トリＲ９−（２，２’，２”−トリＲ１−２，２’，２”−トリＲ２−３，３’，３”−トリＲ３−３，３’，３”−トリＲ４−５，５’，５”−トリＲ５−５，５’，５”−トリＲ６−６，６’，６”−トリＲ７−６，６’，６”−トリＲ８−１，１’，１”−オキサ−４，４’，４”−アゾニウムシクロヘキサン）−Ｒ１０］３＋３Ｘ−、
の構造を有し、式中、Ｒ１〜Ｒ９は、独立して、Ｈ、又は式ＣｎＨ２ｎ＋１を有するアルキル基から選択され、ここで、ｎは、１から４の範囲であり、Ｘは、ハライド又はヒドロキシドであり、分子中のＣ原子の総数は、１５から３６の範囲であり、並びにＲ１０は、ｍが３から８の範囲である式ＣｍＨ２ｍ−１を有するアルキル基であり、ｘ、ｙ、及びｚが１からｍより独立して選択されるアルキル鎖の位置ｘ、ｙ、及びｚで４、４’、及び４”Ｎ原子と結合している。
【００１５】
１−オキサ−４−アゾニウムシクロヘキサン塩のさらに別のバージョンは、式４：
２−Ｒ１−２−Ｒ２−３−Ｒ３−３−Ｒ４−４−Ｒ９−４−Ｒ１０−５−Ｒ５−５−Ｒ６−６−Ｒ７−６−Ｒ８−１−オキサ−４−アゾニウムシクロヘキサン＋−Ｘ−、
の構造を有し、式中、Ｒ１〜Ｒ９は、独立して、Ｈ、又は式ＣｎＨ２ｎ＋１を有するアルキル基から選択され、ここで、ｎは、１から４の範囲であり、Ｒ１０は、ｎが１から４の範囲である式ＣｎＨ２ｎ＋１を有するアルキル基、ベンジル、１−メチルナフタレン、２−メチルナフタレン、及びｐが４から１０の範囲である式ＣｐＨ２ｐ−１を有する非オレフィン系アルキル基から選択され、Ｘは、ハライド又はヒドロキシドであり、並びに分子中のＣ原子の総数は、４から１６の範囲である。
【００１６】
方法の別のバージョンでは、オルガノ−１−オキサ−４−アゾニウムシクロヘキサン化合物は、ゼオライト、アルミノホスフェート、又はシリコアルミノホスフェートの合成における構造指向剤である。
【００１７】
別の態様では、本発明は、１−オキサ−４−アゾニウムシクロヘキサン化合物を合成するための方法を提供する。この方法は：（ａ）水、置換炭化水素、及び１−オキサ−４−アザシクロヘキサン誘導体を含む水性混合物を作製する工程；（ｂ）水性混合物を反応させる工程；並びに（ｃ）オルガノ−１−オキサ−４−アゾニウムシクロヘキサン化合物を含む溶液を得る工程を含み、ここで、混合物及び溶液は、本質的にアルミニウム及びケイ素を含まない。方法の１つのバージョンでは、溶液は、アルミニウム、ケイ素、及びリンを含まない。方法の１つのバージョンでは、溶液は、アルミニウム及びリンを含まない。本質的に含まないとは、記載の元素が混合物又は溶液に意図的に添加されなかったことを示すことを意図している。反応器壁の溶解、出発物質中の不純物、又はその他の原因から来るものであれ、付随的な量のその元素は許容され得る。本質的に含まないは、１質量％未満、又は０．５質量％未満、又は０．１質量％未満の元素が存在することを意味し得る。
【００１８】
方法の１つのバージョンでは、水性混合物を反応させる工程は、０℃から１２５℃の温度で、１５分間から７２時間にわたって行われる。方法の別のバージョンでは、オルガノ−１−オキサ−４−アゾニウムシクロヘキサン生成物は、モレキュラーシーブの合成における構造指向剤として用いられる。方法の別のバージョンでは、１−オキサ−４−アザシクロヘキサン誘導体は、本質的にピラミッド反転を起こすことができない。
【００１９】
従って、本発明の利点は、水性混合物中で構造指向剤を作製するためのシステム及び方法を提供することであり、ここで、構造指向剤は、Ｐ及びＡｌの反応性源の非存在下で作製される。さらに、水性混合物は、最終的に四級オルガノアンモニウム化合物を含む溶液を提供する目的で、臭化物塩などのオルガノ−１−オキサ−４−アゾニウムシクロヘキサンハロゲン塩を形成することができる。臭化オルガノアンモニウム塩は、Ａｇ２Ｏとの反応により、又はアニオン交換樹脂によりイオン交換されて、オルガノ−１−オキサ−４−アゾニウムシクロヘキサン化合物のヒドロキシド型が得られてよく、又はハロゲン塩として直接用いられてもよい。そして、得られたオルガノアンモニウム化合物を、ゼオライト又はモレキュラーシーブの合成に用いることができる。
【００２０】
方法の１つのバージョンでは、構造指向剤を得る際に、有機溶媒は用いられない。
１つのバージョンでは、本発明は、アルミノホスフェート系モレキュラーシーブを合成するための方法を提供する。この方法は、（ａ）水、置換炭化水素、及び１−オキサ−４−アザシクロヘキサン誘導体を含む水性混合物を作製する工程；（ｂ）水性混合物を反応させる工程；（ｃ）オルガノ−１−オキサ−４−アゾニウムシクロヘキサン化合物を含む溶液を得る工程；（ｄ）Ａｌ及びＰの反応性源、並びに該溶液を含む反応混合物を形成する工程；並びに（ｅ）反応混合物を加熱して、モレキュラーシーブを形成する工程を含んでよい。
【００２１】
方法の別のバージョンでは、工程（ｄ）は、Ｍｅ、Ａｌ、Ｓｉ、Ｐの反応性源、及び所望に応じて含まれてよいモレキュラーシーブのシードの第一の混合物を形成すること、並びに第一の混合物を冷却することなく、第一の混合物に溶液を添加することを含む。
【００２２】
方法の１つのバージョンでは、水性混合物を反応させる工程は、０℃から１２５℃の温度で、１５分間から７２時間にわたって行われる。
別の態様では、本発明は、（ａ）水、置換炭化水素、及び１−オキサ−４−アザシクロヘキサン誘導体を含む水性混合物を作製する工程；（ｂ）水性混合物を反応させる工程；（ｃ）オルガノ−１−オキサ−４−アゾニウムシクロヘキサン化合物を含む溶液を得る工程；（ｄ）Ａｌ及びＰの反応性源、並びに該溶液を含む反応混合物を形成する工程；並びに（ｅ）反応混合物を加熱して、モレキュラーシーブを形成する工程を含む方法によって作製されたアルミノホスフェートモレキュラーシーブを提供する。
【００２３】
方法の１つのバージョンでは、水性混合物及び溶液は、本質的にアルミニウム及びリンを含まない。
方法の別のバージョンでは、１−オキサ−４−アザシクロヘキサン誘導体は、本質的にピラミッド反転を起こすことができない。
【００２４】
本発明のこれらの及びその他の特徴、態様、並びに利点は、以下の詳細の記述、図面、及び添付の特許請求の範囲を考慮することでより良く理解されることになる。
【図面の簡単な説明】
【００２５】
【図１】図１は、１−オキサ−４−アザシクロヘキサン誘導体の図である。
【図２】図２は、式１の構造を有する１−オキサ−４−アゾニウムシクロヘキサン塩の種類の図である。
【図３】図３は、式２の構造を有する１−オキサ−４−アゾニウムシクロヘキサン塩の種類の図である。
【図４】図４は、式３の構造を有する１−オキサ−４−アゾニウムシクロヘキサン塩の種類の図である。
【図５】図５は、式４の構造を有する１−オキサ−４−アゾニウムシクロヘキサン塩の種類の図である。
【図６】図６Ａ〜Ｂは、ピラミッド反転を起こしている置換アミン化合物の図である。
【図７】図７Ａ〜Ｄは、１−オキサ−４−アザシクロヘキサン誘導体から形成された四級アンモニウム化合物の図である。
【図８】図８は、例１３の生成物のｘ線回折パターンを示す。
【発明を実施するための形態】
【００２６】
１．構造指向剤の作製
本発明は、新規な１−オキサ−４−アゾニウムシクロヘキサン塩を作製するための水性方法を扱う。これらの化合物は、有機構造指向剤（ＯＳＤＡ）として用いることができ、それらは、ＯＳＤＡ合成及びそれに続くモレキュラーシーブ合成に伴う典型的な問題の多くを克服する。本発明の実施形態は、様々な出発物質から１−オキサ−４−アゾニウムシクロヘキサン塩を合成するための方法を含む。
【００２７】
本発明の１−オキサ−４−アゾニウムシクロヘキサン塩を作製するための典型的な方法では、置換炭化水素が水に添加されて、混合物が形成される。次に、図１に示されるように、１−オキサ−４−アザシクロヘキサン誘導体が添加され、１−オキサ−４−アゾニウムシクロヘキサン塩を含有する溶液が見られるまで、反応混合物が撹拌されてよい。溶液が室温まで冷却されると、生成物は、後からの使用のために、水溶液として安定に維持される。
【００２８】
特定の実施形態では、前駆体試薬（例：置換アルカン及び１−オキサ−４−アザシクロヘキサン誘導体）は、方法のいくつかの時点で別々に、又は一緒に添加されて、反応混合物が形成されてよい。前駆体は、０℃から１２５℃の範囲の温度で一緒に反応されてよい。好ましくは、前駆体は、５℃から１００℃の範囲の温度など、室温、又は少し高められた温度で反応される。より好ましくは、前駆体は、２０℃から１２０℃、又は２０℃から８０℃の温度で反応される。
【００２９】
反応時間は、５分間から７２時間、又は１５分から４８時間、又は０．５時間から４８時間まで様々である。
得られた溶液は、室温まで冷却されてよく、又はそのまま用いられてもよい。他の公知の技術では、蒸留、再結晶、クロマトグラフィ、及び真空による成分の除去などの精製工程の使用が必要である。本方法の有益性は、オルガノ−１−オキサ−４−アゾニウムシクロヘキサン塩の溶液が、この溶液を用いてゼオライト及びモレキュラーシーブを作製する前に行われる追加の精製工程なしで作製されることである。いくつかの小実験室スケールでの手順では、未反応の反応体の除去が含まれる場合もあるが、商業的な実施形態では、ほとんどの場合完全に反応が行われる。以下で述べるイオン交換は、溶液を精製するものではなく、ハライドアニオンをヒドロキシドイオンに変換するものであり、従って、精製工程ではない。得られた溶液は、室温まで冷却されてよく、又はそのまま用いられてもよい。しかし、溶液を使用する前に精製工程は行われない。
【００３０】
本発明の方法は、微孔性結晶モレキュラーシーブの作製の際に行われてよい。１つの態様では、本発明は、モレキュラーシーブを合成するための方法を提供する。この方法は、（ａ）水、置換炭化水素、及び１−オキサ−４−アザシクロヘキサン誘導体を含む水性混合物を作製する工程；（ｂ）水性混合物を反応させる工程；（ｃ）オルガノ−１−オキサ−４−アゾニウムシクロヘキサン化合物を含む溶液を得る工程；（ｄ）フレームワーク中の元素の反応性源及び該溶液を含むモレキュラーシーブ反応混合物を形成する工程；並びに（ｅ）反応混合物を加熱してモレキュラーシーブを形成する工程を含んでよい。
【００３１】
本発明の１つの態様では、１−オキサ−４−アゾニウムシクロヘキサン塩が、置換炭化及び１−オキサ−４−アザシクロヘキサン誘導体から作製される。適切な置換炭化水素としては、２から８個の炭素原子を有するハロゲン置換アルカン、ベンジルハライド、１−ハロメタンナフタレン、２−ハロメタンナフタレン、ｐが４から１０の範囲である式ＣｐＨ２ｐ−１を有するハロ置換非オレフィン系アルキル基、３から６個の炭素原子を有するα，ω−ジハロゲン置換アルカン、３から８個の炭素原子を有するジハロゲン置換アルカン、３から８個の炭素を有するトリハロゲン置換アルカン、及びこれらの組み合わせが挙げられる。ハロゲンとしては、塩素、臭素、及びヨウ素が挙げられる。ある態様では、ハロゲンは、臭素又はヨウ素である。別の態様では、ハロゲンは、臭素である。ある態様では、置換炭化水素上のハロゲン置換が何であるかは、すべて異なっていても、すべて同じであっても、又はこれらのいずれの組み合わせであってもよい。
【００３２】
２から８個の炭素原子を有する適切なハロゲン置換アルカンとしては、これらに限定されないが、ブロモエタン、ヨードエタン、クロロプロパン、ブロモプロパン、ヨードプロパン、クロロブタン、１−ブロモブタン、２−ブロモブタン、ヨードブタン、１−ブロモ−２−メチルプロパン、２−ブロモ−２−メチルプロパン、クロロペンタン、ブロモペンタン、ヨードペンタン、２−ブロモペンタン、クロロヘキサン、ブロモヘキサン、ヨードヘキサン、臭化ベンジル、１−クロロ−２−フェニルエタン、１−ブロモ−２−フェニルエタン、及び１−ヨード−２−フェニルエタンが挙げられる。
【００３３】
３から６個の炭素原子を有するα，ω−ジハロゲン置換アルカンとしては、これらに限定されないが、１，３−ジクロロプロパン、１，４−ジクロロブタン、１，５−ジクロロペンタン、１，６−ジクロロヘキサン、１，３−ジブロモプロパン、１，４−ジブロモブタン、１，４−ジブロモ−２−メチルブタン、１，５−ジブロモペンタン、１，６−ジブロモヘキサン、１，３−ジヨードプロパン、１，４−ジヨードブタン、１，５−ジヨードペンタン、１，６−ジヨードヘキサン、及びこれらの組み合わせが挙げられる。
【００３４】
３から８個の炭素原子を有するジハロゲン置換アルカンとしては、適切には、これらに限定されないが、１，２−ジブロモプロパン、１，３−ジブロモブタン、１，３−ジブロモペンタン、１，４−ジブロモペンタン、２，４−ジブロモペンタン、１，５−ジブロモヘキサン、１，４−ジブロモヘキサン、１，３−ジブロモヘキサン、２，４−ジブロモヘキサン、２，５−ジブロモヘキサン、２，５−ジブロモ−３−メチルヘキサン、２，５−ジブロモ−３，３−ジメチルヘキサン、１，４−ジブロモ−２−エチルブタン、及び１，２−ジブロモ−２−フェニルエタンが挙げられる。ハロゲン置換は、塩素、臭素、又はヨウ素であってよいが、臭素について例示している。態様では、２つのハロゲン置換は、同じであっても、又は異なっていてもよい。
【００３５】
３から８個の炭素を有するトリハロゲン置換アルカンとしては、適切には、これらに限定されないが、１，２，３−トリブロモプロパン、１，２，４−トリブロモブタン、１，２，３−トリブロモブタン、１，３，５−トリブロモペンタン、１，２，４−トリブロモペンタン、１，２，３−トリブロモペンタン、１，３，６−トリブロモヘキサン、１，２，４−トリブロモヘキサン、１，２，５−トリブロモヘキサン、１，２，６−トリブロモヘキサン、１，３，４−トリブロモヘキサン、及び１，３，５−トリブロモヘキサンが挙げられる。
【００３６】
ハロゲン置換は、塩素、臭素、又はヨウ素であってよいが、臭素について例示している。態様では、置換炭化水素上の３つのハロゲン置換が何であるかは、すべて異なっていても、すべて同じであっても、又はこれらのいずれの組み合わせであってもよい。
【００３７】
ある態様では、１−オキサ−４−アザシクロヘキサン誘導体の置換に対するモル比は、１：１から２：１であり、好ましくは、１：１から１．５：１である。典型的には、１−オキサ−４−アザシクロヘキサン誘導体の置換に対するモル比は、１である。従って、臭化ブチルが置換炭化水素として用いられる場合、典型的には、１当量の１−オキサ−４−アザシクロヘキサン誘導体が用いられ、一方１，４−ジブロモブタンが置換炭化水素として用いられる場合は、典型的には、２当量の１−オキサ−４−アザシクロヘキサン誘導体が用いられる。
【００３８】
適切な１−オキサ−４−アザシクロヘキサン誘導体としては、少なくとも１つのコンフォマーが本質的にピラミッド反転を起こすことができないものが挙げられる。ピラミッド反転のＩＵＰＡＣによる定義は、「ピラミッド型配置（トリポッド型配置（tripodal arrangement））の結合を有する三配位中心原子への結合方向の変化により、中心原子（ピラミッドの頂点）がピラミッドの底面の反対側の対応する位置に移動したように見えるポリトパル転位（polytopal rearrangement）。中心原子に対する３つの配位子が異なっている場合、ピラミド転位は、エナンチオマーを相互変換する」として与えられる。多くの窒素化合物がトリポッド型の性質である結果、これらの化合物は、ピラミッド反転を起こすことができる。典型的には、拘束されていない分子の場合、反転に対するエネルギー障壁は低い。例えば、アンモニア（ＮＨ３）は、２４．５ｋＪｍｏｌ−１の反転障壁を有し、観察された反転頻度は、２．４＊１０１０ｓ−１であり、ジメチルアミンは、１８ｋＪｍｏｌ−１の反転障壁を有し、トリイソプロピルアミンは、６〜８ｋＪｍｏｌ−１の反転障壁を有し、ジメチルエチルアミンは、２２ｋＪｍｏｌ−１の反転障壁を有する。しかし、反転障壁エネルギーは、１−メチルピロリジンの場合のように、窒素置換基が小環又はその他の剛体分子の一部である場合、非常に高くなり得る。本質的にピラミッド反転を起こすことができないとして定められる分子は、少なくとも２８ｋＪｍｏｌ−１の、より好ましくは、少なくとも３０ｋＪｍｏｌ−１の反転障壁エネルギーを有する。ピラミッド反転の考察については、Rauk, A., et al., (1970), Pyramidal Inversion. Angew. Chem. Int. Ed. Engl., 9: 400-414に見出すことができ、特にアミンについてのさらなる考察は、"Inorganic Chemistry" edited by Arnold F. Holleman, et al., Academic Press, 2001に見出される。さらに図６Ａ〜Ｂは、ピラミッド反転を起こしている置換アミン化合物を示す。分子は、多くのコンフォマー又は折り畳みパターンで存在し得る。例えば、シクロヘキサンには、いす型及び船型の両方が存在し、この２つの異なるコンフォマー間で相互変換することは公知である。本発明の態様では、アミンの少なくとも１つのコンフォマーが、本質的にピラミッド反転を起こすことができない。
【００３９】
【表１】
2018500264.tif 000003
【００４０】
１−オキサ−４−アザシクロヘキサン誘導体が図１に示され、これは、式５：
２−Ｒ１−２−Ｒ２−３−Ｒ３−３−Ｒ４−４−Ｒ９−５−Ｒ５−５−Ｒ６−６−Ｒ７−６−Ｒ８−１−オキサ−４−アザシクロヘキサン、
の構造を有し、式中、Ｒ１〜Ｒ９は、独立して、Ｈ、又は式ＣｎＨ２ｎ＋１を有するアルキル基から選択され、及び分子中のＣ原子の総数は、４から１２の範囲である。
【００４１】
あるバージョンでは、Ｒ１〜Ｒ９は、Ｈである。
あるバージョンでは、Ｒ１〜Ｒ９のうちの少なくとも１つは、アルキル基である。あるバージョンでは、Ｒ１〜Ｒ９のうちの少なくとも２つは、アルキル基である。あるバージョンでは、Ｒ１〜Ｒ９のうちの少なくとも２つは、アルキル基であり、アルキル基のうちの２つは、同じＣ原子上に存在する（例：Ｒ１及びＲ２、又はＲ３及びＲ４、又はＲ５及びＲ６、又はＲ７及びＲ８）。
【００４２】
２つ以上のアルキル基が存在する場合、アルキル基は、同じ基であってよく、又はそれらは異なっていてもよい。最も一般的には、アルキル基は、メチル又はエチル基である。
適切な１−オキサ−４−アザシクロヘキサン誘導体としては、これらに限定されないが、４−ブチルモルホリン、４−プロピルモルホリン、４−エチルモルホリン、４−メチルモルホリン、モルホリン、２−メチルモルホリン、２，４−ジメチルモルホリン、４−エチル−２−メチルモルホリン、４−プロピル−２−メチルモルホリン、３−メチルモルホリン、３，４−ジメチルモルホリン、４−エチル−３−メチルモルホリン、４−プロピル−３−メチルモルホリン、５−メチルモルホリン、２，５−ジメチルモルホリン、４−エチル−５−メチルモルホリン、４−プロピル−５−メチルモルホリン、５−エチル−２−メチルモルホリン、６−メチルモルホリン、４，６−ジメチルモルホリン、４−エチル−６−メチルモルホリン、４−プロピル−６−メチルモルホリン、２，６−ジメチルモルホリン、２，４，６−トリメチルモルホリン、４−エチル−２，６−ジメチルモルホリン、２，３−ジメチルモルホリン、２，３，４−トリメチルモルホリン、４−エチル−２，３−ジメチルモルホリン、２，５−ジメチルモルホリン、２，４，５−トリメチルモルホリン、４−エチル−２，５−ジメチルモルホリン、２，２−ジメチルモルホリン、２，２，４−トリメチルモルホリン、４−エチル−２，２−ジメチルモルホリン、３，３−ジメチルモルホリン、３，３，４−トリメチルモルホリン、４−エチル−３，３−ジメチルモルホリン、５，５−ジメチルモルホリン、４，５，５−トリメチルモルホリン、４−エチル−５，５−ジメチルモルホリン、６，６−ジメチルモルホリン、４，６，６−トリメチルモルホリン、４−エチル−６，６−ジメチルモルホリン、５−エチル−２−メチルモルホリン、及びこれらの組み合わせが挙げられる。ブチルは、ｎ−ブチル、ｓｅｃ−ブチル、イソブチル、又はｔｅｒｔ−ブチルを示し得る。プロピルは、ｎ−プロピル又はイソプロピルを示し得る。
【００４３】
置換炭化水素が、３から６個の炭素原子を有するα，ω−ジハロゲン置換アルカン又は３から８個の炭素原子を有するジハロゲン置換アルカンである場合、１−オキサ−４−アゾニウムシクロヘキサン塩は、式１又は式２のいずれかの構造を有し得る。Ｒ９がアルキル基である場合、式２の構造が得られ得る。Ｒ９がＨである場合、式１の構造が得られ得る。
【００４４】
置換炭化水素が３から８個の炭素を有するトリハロゲン置換アルカンである場合、１−オキサ−４−アゾニウムシクロヘキサン塩は、式３の構造を有し得る。
置換炭化水素が、２から８個の炭素原子を有するハロゲン置換アルカン、ベンジルハライド、１−ハロメタンナフタレン、２−ハロメタンナフタレン、又はｐが４から１０の範囲である式ＣｐＨ２ｐ−１を有するハロ置換非オレフィン系アルキル基である場合、１−オキサ−４−アゾニウムシクロヘキサン塩は、式４の構造を有し得る。
【００４５】
１−オキサ−４−アザシクロヘキサン誘導体は、Ｒ１〜Ｒ９を含み、少なくともＲ１０は、置換炭化水素由来である。あるバージョンでは、１−オキサ−４−アザシクロヘキサン誘導体のＲ１〜Ｒ８における置換基、及び１−オキサ−４−アゾニウムシクロヘキサン塩のＲ１〜Ｒ８における置換基は、同じである。あるバージョンでは、１−オキサ−４−アザシクロヘキサン誘導体のＲ１〜Ｒ９における置換基、及び１−オキサ−４−アゾニウムシクロヘキサン塩のＲ１〜Ｒ９における置換基は、同じである。
【００４６】
１−オキサ−４−アゾニウムシクロヘキサン塩の１つの種類は、式１：
２−Ｒ１−２−Ｒ２−３−Ｒ３−３−Ｒ４−４−Ｒ９−４−Ｒ１０−５−Ｒ５−５−Ｒ６−６−Ｒ７−６−Ｒ８−１−オキサ−４−アゾニウムシクロヘキサン＋−Ｘ−、
の構造を有し、式中、Ｒ１〜Ｒ８は、独立して、Ｈ、又は式ＣｎＨ２ｎ＋１を有するアルキル基から選択され、ここで、ｎは、１から４の範囲であり；Ｒ９及びＲ１０は、環サイズｑのヘテロ環を形成する式ＣｍＨ２ｍを有する環状アルキル基を形成し、ここで、ｍは、４から８の範囲であり、ｑは、５からｍ＋１の範囲であり；Ｘは、ハライド又はヒドロキシドであり；並びに、分子中のＣ原子の総数は、８から１７の範囲である。
【００４７】
あるバージョンでは、Ｒ１〜Ｒ８がＨであり、ｍが４である場合、Ｘは、ヒドロキシドである。あるバージョンでは、Ｒ１〜Ｒ８がＨである場合、ｍは、５から８の範囲である。
【００４８】
あるバージョンでは、Ｘは、ヒドロキシドである。
環状アルキル基は、４から８個の炭素を有していてよく、ヘテロ環は、５からｍ＋１の環サイズを有する。最も一般的には、ヘテロ環は、５又は６員環である。あるバージョンでは、ｑは、５である。あるバージョンでは、ｑは、６である。あるバージョンでは、ｑは、５又は６である。
【００４９】
あるバージョンでは、Ｒ１０は、直鎖状アルキル基又は分岐鎖状アルキル基であってよい。Ｒ１０が分岐鎖状アルキル基である場合、ヘテロ環は、１つ以上のアルキル置換基を有してよい。例えば、１，４−ジブロモ−４，４−ジメチルブタンを用いると、窒素原子に隣接する炭素上に２つのメチル基を有する５員環ヘテロ環が得られ、環状アルキル基は、式Ｃ６Ｈ１２を有する。
【００５０】
あるバージョンでは、Ｒ１〜Ｒ８は、Ｈである。
あるバージョンでは、Ｒ１〜Ｒ８のうちの少なくとも１つは、アルキル基である。あるバージョンでは、Ｒ１〜Ｒ８のうちの少なくとも２つは、アルキル基である。あるバージョンでは、Ｒ１〜Ｒ８のうちの少なくとも２つがアルキル基である場合、アルキル基のうちの２つは、同じＣ原子上に存在する（例：Ｒ１及びＲ２、又はＲ３及びＲ４、又はＲ５及びＲ６、又はＲ７及びＲ８）。
【００５１】
２つ以上のアルキル基が存在する場合、アルキル基は、同じ基であってよく、又はそれらは、異なっていてもよい。最も一般的には、アルキル基は、メチル又はエチル基である。
【００５２】
１つのバージョンでは、環状アルキル基は、５個の炭素を有し、ｑは、６であり、Ｒ１〜Ｒ８は、Ｈであり、Ｘは、ハライドである。
例として、図７Ａは、１，５−ジブロモ−２，２−ジメチルペンタンとモルホリンとの反応から形成された生成物である３−オキサ−６−アゾニア−８，８−ジメチルスピロ［５．５］ウンデカンを示す。
【００５３】
１−オキサ−４−アゾニウムシクロヘキサン塩の別の種類は、式２：
［ビス−Ν，Ν’−ジＲ９−（２，２’−ジＲ１−２，２’−ジＲ２−３，３’−ジＲ３−３，３’−ジＲ４−５，５’−ジＲ５−５，５’−ジＲ６−６，６’−ジＲ７−６，６’−ジＲ８−１，１’−オキサ−４，４’−アゾニウムシクロヘキサン）−Ｒ１０］２＋２Ｘ−、
の構造を有し、式中、Ｒ１〜Ｒ９は、独立して、Ｈ、又は式ＣｎＨ２ｎ＋１を有するアルキル基から選択され、ここで、ｎは、１から４の範囲であり、Ｘは、ハライド又はヒドロキシドであり、分子中のＣ原子の総数は、１１から２４の範囲であり、並びにＲ１０は、ｍが３から８の範囲である式ＣｍＨ２ｍを有するアルキル基であり、ｘ及びｙが１からｍより独立して選択されるアルキル鎖の位置ｘ及びｙで４及び４’Ｎ原子と結合している。
【００５４】
あるバージョンでは、Ｒ１〜Ｒ８がＨであり、Ｒ９がＣＨ３であり、Ｒ１０がＣ４Ｈ８であり、ｘが１であり、ｙが４である場合、Ｘは、ヒドロキシドであり；又はＲ１〜Ｒ８がＨであり、Ｒ９がＣＨ３であり、Ｒ１０がＣ５Ｈ１０であり、ｘが１であり、ｙが５である場合、Ｘは、ヒドロキシドであり；又はＲ１〜Ｒ８がＨであり、Ｒ９がＣＨ３であり、Ｒ１０がＣ６Ｈ１２であり、ｘが１であり、ｙが６である場合、Ｘは、ヒドロキシドであり；又はＲ１〜Ｒ８がＨであり、Ｒ９がＣＨ３であり、Ｒ１０がＣ７Ｈ１４であり、ｘが１であり、ｙが７である場合、Ｘは、ヒドロキシドであり；又はＲ１〜Ｒ８がＨであり、Ｒ９がＣ２Ｈ５であり、Ｒ１０がＣ６Ｈ１２であり、ｘが１であり、ｙが６である場合、Ｘは、ヒドロキシドである。
【００５５】
あるバージョンでは、Ｒ１〜Ｒ８がＨであり、Ｒ９がＣＨ３又はＣ２Ｈ５である場合、Ｘは、ヒドロキシドである。あるバージョンでは、Ｒ１〜Ｒ８がＨであり、Ｒ９がＣＨ３である場合、ｍは、３又は８である。あるバージョンでは、Ｒ１〜Ｒ８がＨであり、Ｒ９がＣ２Ｈ５である場合、ｍは、３、４、５、７、又は８である。あるバージョンでは、Ｒ１〜Ｒ８がＨであり、Ｒ９がＣＨ３である場合、ｙは、ｍと等しくない。あるバージョンでは、Ｒ１〜Ｒ８がＨであり、Ｒ９がＣ２Ｈ５である場合、ｙは、ｍと等しくない。あるバージョンでは、Ｒ１〜Ｒ８がＨであり、Ｒ９がアルキル基である場合、ｙは、ｍと等しくない。
【００５６】
あるバージョンでは、Ｒ９がＣＨ３又はＣ２Ｈ５である場合、Ｘは、ヒドロキシドである。あるバージョンでは、Ｒ９がＣＨ３である場合、ｍは、３又は８である。あるバージョンでは、Ｒ９がＣ２Ｈ５である場合、ｍは、３、４、５、７、又は８である。あるバージョンでは、Ｒ９がＣＨ３である場合、ｙは、ｍと等しくない。あるバージョンでは、Ｒ９がＣ２Ｈ５である場合、ｙは、ｍと等しくない。あるバージョンでは、Ｒ９がアルキル基である場合、ｙは、ｍと等しくない。
【００５７】
あるバージョンでは、Ｘは、ヒドロキシドである。
あるバージョンでは、Ｒ１０は、直鎖状アルキル基である（すなわち、ｘは１であり、ｙはｍである）。
【００５８】
あるバージョンでは、Ｒ９がアルキル基である場合、Ｘは、ヒドロキシドである。
あるバージョンでは、Ｒ９は、メチル基である。あるバージョンでは、Ｒ９は、メチル基であり、Ｒ１０は、４個の炭素を有する。あるバージョンでは、Ｒ９は、メチル基であり、Ｒ１０は、４個の炭素を有し、Ｒ１０は、その鎖の末端で２つのモルホリン環と結合している（すなわち、ｘは１であり、ｙは４である）。あるバージョンでは、化合物は、１，４−ビス（４−メチルモルホリニウム）ブタンのジハライド又はジヒドロキシドである。
【００５９】
あるバージョンでは、Ｒ１〜Ｒ８は、Ｈである。あるバージョンでは、Ｒ１〜Ｒ８がＨである場合、Ｒ９は、アルキル基である。あるバージョンでは、Ｒ１〜Ｒ８がＨである場合、Ｒ９は、Ｈである。あるバージョンでは、Ｒ１〜Ｒ８がＨであり、Ｒ９がＣＨ３である場合、ｙ及びｍは、同じ値を有しない。あるバージョンでは、Ｒ１〜Ｒ８がＨであり、Ｒ９がＣ２Ｈ５である場合、ｍは、３、４、５、７、及び８から成る群より選択される。
【００６０】
あるバージョンでは、Ｒ１〜Ｒ８のうちの少なくとも１つは、アルキル基である。あるバージョンでは、Ｒ１〜Ｒ８のうちの少なくとも１つがアルキル基である場合、Ｒ９は、アルキル基である。あるバージョンでは、Ｒ１〜Ｒ８のうちの少なくとも１つがアルキル基である場合、Ｒ９は、Ｈである。
【００６１】
あるバージョンでは、Ｒ１〜Ｒ８のうちの少なくとも２つは、アルキル基である。あるバージョンでは、Ｒ１〜Ｒ８のうちの少なくとも２つがアルキル基である場合、アルキル基のうちの２つは、同じＣ原子上に存在する（例：Ｒ１及びＲ２、又はＲ３及びＲ４、又はＲ５及びＲ６、又はＲ７及びＲ８）。
【００６２】
Ｒ１〜Ｒ９のうちの２つ以上がアルキル基である場合、アルキル基は、同じ基であってよく、又はそれらは異なっていてもよい。最も一般的には、アルキル基は、メチル又はエチル基である。
【００６３】
あるバージョンでは、１−オキサ−４−アゾニウムシクロヘキサン塩は、ビス−：４−ブチルモルホリン、４−プロピルモルホリン、４−エチルモルホリン、４−メチルモルホリン、モルホリン、２−メチルモルホリン、２，４−ジメチルモルホリン、４−エチル−２−メチルモルホリン、４−プロピル−２−メチルモルホリン、３−メチルモルホリン、３，４−ジメチルモルホリン、４−エチル−３−メチルモルホリン、４−プロピル−３−メチルモルホリン、５−メチルモルホリン、２，５−ジメチルモルホリン、４−エチル−５−メチルモルホリン、４−プロピル−５−メチルモルホリン、５−エチル−２−メチルモルホリン、６−メチルモルホリン、４，６−ジメチルモルホリン、４−エチル−６−メチルモルホリン、４−プロピル−６−メチルモルホリン、２，６−ジメチルモルホリン、２，４，６−トリメチルモルホリン、４−エチル−２，６−ジメチルモルホリン、２，３−ジメチルモルホリン、２，３，４−トリメチルモルホリン、４−エチル−２，３−ジメチルモルホリン、２，５−ジメチルモルホリン、２，４，５−トリメチルモルホリン、４−エチル−２，５−ジメチルモルホリン、２，２−ジメチルモルホリン、２，２，４−トリメチルモルホリン、４−エチル−２，２−ジメチルモルホリン、３，３−ジメチルモルホリン、３，３，４−トリメチルモルホリン、４−エチル−３，３−ジメチルモルホリン、５，５−ジメチルモルホリン、４，５，５−トリメチルモルホリン、４−エチル−５，５−ジメチルモルホリン、６，６−ジメチルモルホリン、４，６，６−トリメチルモルホリン、４−エチル−６，６−ジメチルモルホリン、５−エチル−２−メチルモルホリン、及びこれらの組み合わせのジハライド又はジヒドロキシドのうちの少なくとも１つを含む。ブチルは、ｎ−ブチル、ｓｅｃ−ブチル、イソブチル、又はｔｅｒｔ−ブチルを示し得る。プロピルは、ｎ−プロピル又はイソプロピルを示し得る。
【００６４】
例として、図７Ｂは、１，４−ジブロモブタンと４−エチルモルホリニウムとの反応から形成された生成物である１，４−ビス（４−エチルモルホリニウム）ブタンジブロミドを示す。
【００６５】
１−オキサ−４−アゾニウムシクロヘキサン塩の別の種類は、式３：
［トリス−Ν，Ν’，Ｎ”−トリＲ９−（２，２’，２”−トリＲ１−２，２’，２”−トリＲ２−３，３’，３”−トリＲ３−３，３’，３”−トリＲ４−５，５’，５”−トリＲ５−５，５’，５”−トリＲ６−６，６’，６”−トリＲ７−６，６’，６”−トリＲ８−１，１’，１”−オキサ−４，４’，４”−アゾニウムシクロヘキサン）−Ｒ１０］３＋３Ｘ−、
の構造を有し、式中、Ｒ１〜Ｒ９は、独立して、Ｈ、又は式ＣｎＨ２ｎ＋１を有するアルキル基から選択され、ここで、ｎは、１から４の範囲であり、Ｘは、ハライド又はヒドロキシドであり、分子中のＣ原子の総数は、１５から３６の範囲であり、並びにＲ１０は、ｍが３から８の範囲である式ＣｍＨ２ｍ−１を有するアルキル基であり、ｘ、ｙ、及びｚが１からｍより独立して選択されるアルキル鎖の位置ｘ、ｙ、及びｚで４、４’、及び４”Ｎ原子と結合している。
【００６６】
あるバージョンでは、Ｘは、ヒドロキシドである。
あるバージョンでは、Ｒ９がアルキル基である場合、Ｘは、ヒドロキシドである。
あるバージョンでは、Ｒ９は。アルキル基である。あるバージョンでは、Ｒ９は、メチル又はエチル基である。
【００６７】
あるバージョンでは、ｘは、１であり、ｚは、ｍである。あるバージョンでは、ｘは、１であり、ｚは、ｍ−１である。あるバージョンでは、ｘは、１であり、ｚは、ｍ−２である。あるバージョンでは、ｍは、４から８又は４から７の範囲である。
【００６８】
あるバージョンでは、Ｒ１〜Ｒ８は、Ｈである。あるバージョンでは、Ｒ１〜Ｒ８がＨである場合、Ｒ９は、アルキル基である。あるバージョンでは、Ｒ１〜Ｒ８がＨである場合、Ｒ９は、メチル又はエチル基である。あるバージョンでは、Ｒ１〜Ｒ８がＨである場合、Ｒ９は、Ｈである。
【００６９】
あるバージョンでは、Ｒ１〜Ｒ８のうちの少なくとも１つは、アルキル基である。あるバージョンでは、Ｒ１〜Ｒ８のうちの少なくとも１つがアルキル基である場合、Ｒ９は、アルキル基である。あるバージョンでは、Ｒ１〜Ｒ８のうちの少なくとも１つがアルキル基である場合、Ｒ９は、メチル又はエチル基である。あるバージョンでは、Ｒ１〜Ｒ８のうちの少なくとも１つがアルキル基である場合、Ｒ９は、Ｈである。
【００７０】
あるバージョンでは、Ｒ１〜Ｒ８のうちの少なくとも２つは、アルキル基である。あるバージョンでは、Ｒ１〜Ｒ８のうちの少なくとも２つがアルキル基である場合、アルキル基のうちの２つは、同じＣ原子上に存在する（例：Ｒ１及びＲ２、又はＲ３及びＲ４、又はＲ５及びＲ６、又はＲ７及びＲ８）。
【００７１】
２つ以上のアルキル基が存在する場合、アルキル基は、同じ基であってよく、又はそれらは異なっていてもよい。最も一般的には、アルキル基は、メチル又はエチル基である。
あるバージョンでは、１−オキサ−４−アゾニウムシクロヘキサン塩は、トリス−：４−ブチルモルホリン、４−プロピルモルホリン、４−エチルモルホリン、４−メチルモルホリン、モルホリン、２−メチルモルホリン、２，４−ジメチルモルホリン、４−エチル−２−メチルモルホリン、４−プロピル−２−メチルモルホリン、３−メチルモルホリン、３，４−ジメチルモルホリン、４−エチル−３−メチルモルホリン、４−プロピル−３−メチルモルホリン、５−メチルモルホリン、２，５−ジメチルモルホリン、４−エチル−５−メチルモルホリン、４−プロピル−５−メチルモルホリン、５−エチル−２−メチルモルホリン、６−メチルモルホリン、４，６−ジメチルモルホリン、４−エチル−６−メチルモルホリン、４−プロピル−６−メチルモルホリン、２，６−ジメチルモルホリン、２，４，６−トリメチルモルホリン、４−エチル−２，６−ジメチルモルホリン、２，３−ジメチルモルホリン、２，３，４−トリメチルモルホリン、４−エチル−２，３−ジメチルモルホリン、２，５−ジメチルモルホリン、２，４，５−トリメチルモルホリン、４−エチル−２，５−ジメチルモルホリン、２，２−ジメチルモルホリン、２，２，４−トリメチルモルホリン、４−エチル−２，２−ジメチルモルホリン、３，３−ジメチルモルホリン、３，３，４−トリメチルモルホリン、４−エチル−３，３−ジメチルモルホリン、５，５−ジメチルモルホリン、４，５，５−トリメチルモルホリン、４−エチル−５，５−ジメチルモルホリン、６，６−ジメチルモルホリン、４，６，６−トリメチルモルホリン、４−エチル−６，６−ジメチルモルホリン、５−エチル−２−メチルモルホリン、及びこれらの組み合わせのトリハライド又はトリヒドロキシドのうちの少なくとも１つを含む。
【００７２】
例として、図７Ｃは、１，３，６−トリブロモ−４−メチルヘキサンと４−メチルモルホリンとの反応から形成された生成物である１，３，６−トリス（４−メチルモルホリニウム）４−メチルヘキサントリブロミドを示す。
【００７３】
１−オキサ−４−アゾニウムシクロヘキサン塩のさらに別の種類は、式４：
２−Ｒ１−２−Ｒ２−３−Ｒ３−３−Ｒ４−４−Ｒ９−４−Ｒ１０−５−Ｒ５−５−Ｒ６−６−Ｒ７−６−Ｒ８−１−オキサ−４−アゾニウムシクロヘキサン＋−Ｘ−、
の構造を有し、式中、Ｒ１〜Ｒ９は、独立して、Ｈ、又は式ＣｎＨ２ｎ＋１を有するアルキル基から選択され、Ｒ１０は、ｎが１から４の範囲である式ＣｎＨ２ｎ＋１を有するアルキル基、ベンジル、１−メチルナフタレン、２−メチルナフタレン、及びｐが４から１０の範囲である式ＣｐＨ２ｐ−１を有する非オレフィン系アルキル基から選択され、Ｘは、ハライド又はヒドロキシドであり、並びに分子中のＣ原子の総数は、４から１６の範囲である。
【００７４】
あるバージョンでは、Ｘは、ヒドロキシドである。
あるバージョンでは、Ｒ９がアルキル基である場合、Ｘは、ヒドロキシドである。
あるバージョンでは、Ｒ９は、アルキル基である。あるバージョンでは、Ｒ９は、メチル又はエチル基である。
【００７５】
あるバージョンでは、Ｒ１〜Ｒ９は、Ｈである。
あるバージョンでは、Ｒ１〜Ｒ８は、Ｈである。あるバージョンでは、Ｒ１〜Ｒ８がＨである場合、Ｒ９は、アルキル基である。あるバージョンでは、Ｒ１〜Ｒ８がＨである場合、Ｒ９は、メチル又はエチル基である。あるバージョンでは、Ｒ１〜Ｒ８がＨである場合、Ｒ９は、Ｈである。
【００７６】
あるバージョンでは、Ｒ１〜Ｒ８のうちの少なくとも１つは、アルキル基である。あるバージョンでは、Ｒ１〜Ｒ８のうちの少なくとも１つがアルキル基である場合、Ｒ９は、アルキル基である。あるバージョンでは、Ｒ１〜Ｒ８のうちの少なくとも１つがアルキル基である場合、Ｒ９は、メチル又はエチル基である。あるバージョンでは、Ｒ１〜Ｒ８のうちの少なくとも１つがアルキル基である場合、Ｒ９は、Ｈである。
【００７７】
あるバージョンでは、Ｒ１〜Ｒ８のうちの少なくとも２つは、アルキル基である。あるバージョンでは、Ｒ１〜Ｒ８のうちの少なくとも２つがアルキル基である場合、アルキル基のうちの２つは、同じＣ原子上に存在する（例：Ｒ１及びＲ２、又はＲ３及びＲ４、又はＲ５及びＲ６、又はＲ７及びＲ８）。
【００７８】
２つ以上のアルキル基が存在する場合、アルキル基は、同じ基であってよく、又はそれらは異なっていてもよい。最も一般的には、アルキル基は、メチル又はエチル基である。
あるバージョンでは、Ｒ１〜Ｒ８のうちの少なくとも２つがアルキル基である場合、Ｒ９及びＲ１０のうちの少なくとも１つは、式ＣｎＨ２ｎ＋１を有するアルキル基である。
【００７９】
あるバージョンでは、Ｒ１０は、式ＣｎＨ２ｎ＋１を有するアルキル基である。あるバージョンでは、Ｒ１０は、プロピル又はブチル基である。あるバージョンでは、Ｒ１０アルキル基は、直鎖状アルキル基又は分岐鎖状アルキル基であってよい。
【００８０】
あるバージョンでは、Ｒ１０は、ベンジルである。あるバージョンでは、Ｒ１０がベンジルである場合、Ｒ１〜Ｒ８のうちの少なくとも１つは、アルキル基である。あるバージョンでは、Ｒ１０がベンジルである場合、Ｒ９は、アルキル基である。あるバージョンでは、Ｒ１０がベンジルである場合、Ｒ９は、Ｈである。
【００８１】
あるバージョンでは、Ｒ１０は、１−メチルナフタレン又は２−メチルナフタレンである。あるバージョンでは、Ｒ１０が１−メチルナフタレン又は２−メチルナフタレンである場合、Ｒ１〜Ｒ８のうちの少なくとも１つは、アルキル基である。あるバージョンでは、Ｒ１０が１−メチルナフタレン又は２−メチルナフタレンである場合、Ｒ９は、アルキル基である。あるバージョンでは、Ｒ１０が１−メチルナフタレン又は２−メチルナフタレンである場合、Ｒ９は、Ｈである。
【００８２】
あるバージョンでは、Ｒ１０は、ｐが４から１０の範囲である式ＣｐＨ２ｐ−１を有する非オレフィン系アルキル基である。あるバージョンでは、Ｒ１０が非オレフィン系アルキル基である場合、Ｒ１〜Ｒ８のうちの少なくとも１つは、アルキル基である。あるバージョンでは、Ｒ１０が非オレフィン系アルキル基である場合、Ｒ９は、アルキル基である。あるバージョンでは、Ｒ１０が非オレフィン系アルキル基である場合、Ｒ９は、Ｈである。あるバージョンでは、Ｒ１０は、シクロブチル、シクロペンチル、シクロヘキシル、メチルシクロペンチル、シクロヘプチル、メチルシクロヘキシル、ジメチルシクロペンチル、シクロオクチル、及びジメチルシクロヘキシルから成る群より選択される。ｐが４から１０の範囲である式ＣｐＨ２ｐ−１を有する適切な非オレフィン系アルキル基としては、これらに限定されないが、シクロブチル、シクロペンチル、シクロヘキシル、メチルシクロペンチル、シクロヘプチル、メチルシクロヘキシル、ジメチルシクロペンチル、シクロオクチル、及びジメチルシクロヘキシルが挙げられる。あるバージョンでは、ｐは、５から８の範囲である。
【００８３】
あるバージョンでは、１−オキサ−４−アゾニウムシクロヘキサン塩は：４−ブチルモルホリン、４−プロピルモルホリン、４−エチルモルホリン、４−メチルモルホリン、モルホリン、２−メチルモルホリン、２，４−ジメチルモルホリン、４−エチル−２−メチルモルホリン、４−プロピル−２−メチルモルホリン、３−メチルモルホリン、３，４−ジメチルモルホリン、４−エチル−３−メチルモルホリン、４−プロピル−３−メチルモルホリン、５−メチルモルホリン、２，５−ジメチルモルホリン、４−エチル−５−メチルモルホリン、４−プロピル−５−メチルモルホリン、５−エチル−２−メチルモルホリン、６−メチルモルホリン、４，６−ジメチルモルホリン、４−エチル−６−メチルモルホリン、４−プロピル−６−メチルモルホリン、２，６−ジメチルモルホリン、２，４，６−トリメチルモルホリン、４−エチル−２，６−ジメチルモルホリン、２，３−ジメチルモルホリン、２，３，４−トリメチルモルホリン、４−エチル−２，３−ジメチルモルホリン、２，５−ジメチルモルホリン、２，４，５−トリメチルモルホリン、４−エチル−２，５−ジメチルモルホリン、２，２−ジメチルモルホリン、２，２，４−トリメチルモルホリン、４−エチル−２，２−ジメチルモルホリン、３，３−ジメチルモルホリン、３，３，４−トリメチルモルホリン、４−エチル−３，３−ジメチルモルホリン、５，５−ジメチルモルホリン、４，５，５−トリメチルモルホリン、４−エチル−５，５−ジメチルモルホリン、６，６−ジメチルモルホリン、４，６，６−トリメチルモルホリン、４−エチル−６，６−ジメチルモルホリン、５−エチル−２−メチルモルホリン、及びこれらの組み合わせのハライド又はヒドロキシドのうちの少なくとも１つを含む。
【００８４】
例として、図７Ｄは、２−ブロモプロパンと４，６，６−トリメチルモルホリンとの反応から形成された生成物である４−イソプロピル（４，６，６−トリメチルモルホリニウム）ブロミドを示す。
【００８５】
１−オキサ−４−アゾニウムシクロヘキサンハライド塩は、副生物としてＡｇＸが得られるＡｇ２Ｏとの反応によって、又はアニオン交換樹脂を通る経路によってイオン交換されて、１−オキサ−４−アゾニウムシクロヘキサン化合物のヒドロキシド型が得られてよく、又はハロゲン塩として直接用いられてもよい。
【００８６】
イオン交換プロセスは、１−オキサ−４−アゾニウムシクロヘキサンハライド塩を、ヒドロキシドイオンを有するイオン交換樹脂と接触させることを含んでよい。ハライドイオンをヒドロキシドイオンに変換することができる特定のイオン交換樹脂は、Ｄｏｗ Ｃｈｅｍｉｃａｌ社から入手可能であるＤｏｗｅｘ Ｍｏｎｏｓｐｈｅｒｅ ５５０Ａ ＵＰＷである。イオン交換は、２０℃から８５℃、又は２０℃から５０℃、又は２５℃から４０℃の温度で、１５分間から８時間、又は３０分間から６時間、又は３０分間から３時間の時間にわたって行われてよい。イオン交換は、連続モード、又はバッチモード、又はこれらのいずれかの組み合わせで行われてよい。バッチモードは、Ａｇ２Ｏを用いる場合に好ましく、連続モードは、イオン交換樹脂を用いる場合に好ましい。個々の１−オキサ−４−アゾニウムシクロヘキサンハライド塩は、ハライドからヒドロキシドへのイオン効果において、異なる操作条件を必要とし得る。アニオンと１−オキサ−４−アゾニウムシクロヘキサンカチオンとの相互作用によっては、イオン交換は、困難又は不可能であり得る。
【００８７】
例２及び例３におけるブロミド塩及びヒドロキシド塩に対する１３Ｃケミカルシフトの比較から、１−オキサ−４−アゾニウムシクロヘキサン塩とアニオンとの相互作用が、アニオンが何であるかに応じて変動することが示される。特に、理論に束縛されるものではないが、カチオン性Ｎ中心の隣にあるＣ原子の化学ポテンシャルが、特に影響を受ける。塩の電子密度が、アニオンが何であるかによって大きく影響され得る。この相違は、１−オキサ−４−アゾニウムシクロヘキサンアニオン塩が特定のゼオライト又はモレキュラーシーブの合成を指向する能力に大きく影響し得る。モレキュラーシーブの合成において、ヒドロキシドは、典型的には、鉱化剤として用いられるため、ヒドロキシドＳＤＡ塩は、多くの場合、ハライドＳＤＡ塩よりも好ましい。
【００８８】
本発明の方法は、微孔性結晶モレキュラーシーブの作製の際に行われてよい。１つの態様では、本発明は、アルミノホスフェート又はシリコアルミノホスフェートなどのモレキュラーシーブを合成するための方法を提供する。この方法は、（ａ）水、置換炭化水素、及び１−オキサ−４−アザシクロヘキサン誘導体を含む水性混合物を作製する工程；（ｂ）水性混合物を反応させる工程；（ｃ）オルガノ−１−オキサ−４−アゾニウムシクロヘキサン化合物を含む溶液を得る工程；（ｄ）Ａｌ、Ｓｉ、及びＰの反応性源及び該溶液を含む反応混合物を形成する工程；並びに（ｅ）反応混合物を加熱してモレキュラーシーブを形成する工程を含んでよい。
【００８９】
方法の別のバージョンでは、工程（ｄ）は、Ｍｅ、Ａｌ、Ｓｉ、Ｐの反応性源、及び所望に応じて含まれてよいモレキュラーシーブのシードの第一の混合物を形成すること、並びに第一の混合物を冷却することなく、第一の混合物に溶液を添加することを含む。
【００９０】
方法の別のバージョンでは、工程（ｄ）は、Ｍｅ、Ａｌ、Ｐの反応性源、及び所望に応じて含まれてよいモレキュラーシーブのシードの第一の混合物を形成すること、並びに第一の混合物を冷却することなく、第一の混合物に溶液を添加することを含む。
【００９１】
アルミノホスフェート反応混合物を形成する工程は、酸化物のモル比という意味で表される組成：
ｒＲ：Ａｌ２Ｏ３：ｅＭｅＯｊ／２：ｐＰ２Ｏ５：ｓＳｉＯ２：ｇＨ２Ｏ
の反応混合物を形成することを含み、ここで、「ｒ」は、０．０１から１０の値を有し、「ｅ」は、０から１．０の値を有し、「ｊ」は、２から４の値を有し、「ｐ」は、０．５から８．０の値を有し、「ｓ」は、０から１．０の値を有し、「ｇ」は、５から４０００の値を有する。加えて、反応混合物は、反応混合物中の酸化物の合計質量に対して、１から１０質量％のシードアルミノホスフェートを含んでよく、例えば、反応混合物中に１００ｇの酸化物が存在する場合、１から１０ｇのシードアルミノホスフェートが反応混合物に添加されることになる。態様では、反応混合物は、さらに、別のオルガノアンモニウム又はアミン構造指向剤を含んでもよい。Ｒは、オルガノ−１−オキサ−４−アゾニウムシクロヘキサン化合物を表す。Ｍｅは、典型元素Ｍｇ、Ｚｎ、Ｂｅ、Ｇａから、又は第一、第二、若しくは第三遷移系列から選択される元素を表す。この元素の限定されない例としては、Ｔｉ、Ｆｅ、Ｃｏ、Ｍｇ、Ｍｎ、Ｃｕ、Ｎｉ、及びＺｎが挙げられる。
【００９２】
アルミニウム源としては、これらに限定されないが、アルミニウムアルコキシド、沈降アルミナ、アルミニウム金属、水酸化アルミニウム、アルミニウム塩、及びアルミナゾルが挙げられる。アルミニウムアルコキシドの具体例としては、これらに限定されないが、アルミニウムｓｅｃ−ブトキシド及びアルミニウムイソプロポキシドが挙げられる。シリカ源としては、これらに限定されないが、テトラエチルオルソシリケート、コロイド状シリカ、及び沈降シリカが挙げられる。リン源としては、これらに限定されないが、オルソリン酸及び酸化リンが挙げられる。
【００９３】
例は、本明細書で述べるＯＳＤＡが形成されることになる反応混合物が得られる具体的な添加順序を示す。しかし、出発物質が複数あることから、多くの添加順序が可能である。
【００９４】
本発明の方法のＯＳＤＡから作製されるモレキュラーシーブは、様々な炭化水素変換プロセスにおける触媒又は触媒担持体として用いることができる。炭化水素変換プロセスは、本技術分野において公知であり、分解、水素化分解、芳香族又はイソパラフィンのアルキル化、パラフィン、オレフィン、又はキシレンなどのポリ−アルキルベンゼンの異性化、ポリ−アルキルベンゼンのベンゼン又はモノ−アルキルベンゼンによるアルキル交換、モノ−アルキルベンゼンの不均化、重合、改質、水素化、脱水素化、アルキル交換、脱アルキル化、水和、脱水、水素化精製、水素化脱窒素、水素化脱硫、メタン化、及びシンガスシフトプロセスが挙げられる。
【００９５】
実施例
本発明をより詳細に説明する目的で、以下の例が示される。例は、単なる実例であって、添付の特許請求の範囲に示される本発明の広い範囲を限定することを意図するものではないことは理解されたい。
【００９６】
例１
４２２．４４ｇの水を２Ｌのテフロン（登録商標）瓶に秤量し、瓶を４Ｌのビーカーに入れた。一定の撹拌下、２１８．１ｇの１，４ジブロモブタン、９９％を水に添加した。この混合物に、２０４．３４ｇの４−メチルモルホリン、９９％を添加した。１．５Ｌの水道水を４Ｌのビーカーに入れてテフロン瓶を取り囲み、反応熱の制御を補助した。５０℃の低加熱を用いて混合物を加温した。黄色溶液が形成されて、明らかなさらなる相が存在しなくなるまで撹拌を継続した。溶液の１３Ｃ ＮＭＲから、１モルのメチルモルホリン対２．８３モルの１，４−ビス（４−メチルモルホリニウム）ブタンジブロミドの比が示された。
【００９７】
例２
４１３ｇの水を２Ｌのテフロン瓶に秤量した。４７４．１ｇの１，５ジブロモペンタン、９７％（２モル）を添加した。撹拌しながら、この混合物に、１７６ｇのモルホリン、９９％（４モル）を添加した。水とモルホリンが混合されて、濁った相が形成され、一方、より濃いジブロモペンタンが底に残った。テフロン瓶を二次容器としての４リットルのビーカーに移し、室温で撹拌するために高速オーバーヘッドスターラー下に置いた。強い発熱が発生した場合にこれを分散させるために、１〜１．５リットルの冷水を４リットルのビーカーに添加した。混合物は、１５分で黄色を呈し始め、反応が開始していることが示された。発熱は穏和であった。１時間後、透明薄橙色「溶液」が得られた。残りの４１３ｇの水を添加混合して、最終溶液を作製した。１３Ｃ核磁気共鳴（ＮＭＲ）を用いて、生成物が３−オキサ−６−アゾニアスピロ［５．５］ウンデカンブロミド溶液を含むことを確認した。このスピロ環式化合物に対するピークは、テトラメチルシランに対して６３．６、５９．９、５８．０、２１．０、及び１８．９ｐｐｍに観察された。モルホリニウムに対する共鳴は、５９．９及び４３．４ｐｐｍに存在した。スピロ環式化合物のモルホリニウムに対する比は、１：１であった。両化合物を識別し、適切な積分比を取得するには、Ｃ−Ｎ分裂を示す温度可変ＮＭＲが必要である。出発物質１，５−ジブロモペンタンは、それぞれの積分比が１：２：２の２９．３、３４．４、及び３６．２ｐｐｍにピークを有し、これは、最終溶液では観察されない。
【００９８】
例３
例２からの溶液の１１５０グラムを、丸底フラスコ中で３３６．４グラムのＡｇ２Ｏと接触させ、これらが混合されて、灰色不透明溶液を形成した。フラスコを、室温で撹拌するために高速オーバーヘッドスターラー下に１日置いた（開放系）。このサンプルをろ過して析出した臭化銀を除去し、最終溶液を水分析に送り、それによって、サンプルが６４．６％の水を含むことが示された。１３Ｃ核磁気共鳴（ＮＭＲ）を用いて、生成物が３−オキサ−６−アゾニアスピロ［５．５］ウンデカンヒドロキシド溶液を含むことを確認した。このスピロ環式化合物に対するピークは、テトラメチルシランに対して６７．１、６０．０、５７．９、２０．９、及び１８．７ｐｐｍに観察された。モルホリニウムに対する共鳴は、５９．８及び４４．７ｐｐｍに存在した。スピロ環式化合物のモルホリニウムに対する比は、１：１であった。例２及び例３におけるブロミド塩及びヒドロキシド塩に対する１３Ｃケミカルシフトの比較から、１−オキサ−４−アゾニウムシクロヘキサン塩とアニオンとの相互作用が、アニオンが何であるかに応じて変動することが示される。特に、理論に束縛されるものではないが、カチオン性Ｎ中心の横にあるＣ原子の化学ポテンシャルが、特に影響を受ける。塩の電子密度が、アニオンが何であるかによって大きく影響され得る。
【００９９】
例４
８８．６５ｇの水を１Ｌのテフロン瓶に秤量した。１４１．３３ｇの１，４−ジブロモブタン、９９％を添加した。この混合物に、１５４ｇの４−エチルモルホリン、９７％を添加した。水とエチルモルホリンが混合されて、濁った相が形成され、一方、より濃いジブロモブタンが底に残った。テフロン瓶を二次容器としての２リットルのビーカーに移し、室温で撹拌するために高速オーバーヘッドスターラー下に置いた。テフロン瓶をシールし、撹拌することなく１００℃で一晩置いた。溶液を室温まで冷却した後、８８ｇの脱イオン水を溶液に添加した。再度、溶液を撹拌することなく１００℃で一晩置き、褐色半透明溶液が得られ、これは、１３Ｃ ＮＭＲによると、１，４−ビス（４−エチルモルホリニウム）ブタンジカチオンに対するピークを有していた。サンプルを水分析に送り、それによって、それが３６．６％の水を含むことが示された。
【０１００】
例５
３５５．８８ｇの水を２Ｌのガラスビーカーに秤量した。３５５．５７ｇの１，５−ジブロモペンタン、９７％（１．５モル）を添加した。この混合物に、３５６．１９ｇの４−エチルモルホリン、９７％（３モル）を添加した。水とエチルモルホリンが混合されて、濁った相が形成され、一方、より濃いジブロモペンタンが底に残った。ガラスビーカーを低加熱のホットプレート上に移し、室温で撹拌するために高速オーバーヘッドスターラー下に置いた。次に、この溶液を２Ｌのテフロン瓶に移し、これをシールし、撹拌することなく１００℃で一晩置いた。冷却後、この溶液を２ＬのＰａｒｒオートクレーブ中に入れ、１００℃に４時間加熱した。次に、３５５．８８ｇの脱イオン水を添加して、５０％の溶液を得た。
【０１０１】
例６
１９６．５ｇの水を２Ｌのテフロン瓶に秤量した。２５４．１４ｇの１，６−ジブロモヘキサン、９６％を添加した。この混合物に、２０４．３４ｇの４−メチルモルホリン、９９％を添加した。水とモルホリンが混合されて、濁った相が形成され、一方、より濃いジブロモヘキサンが底に残った。この溶液を二次容器としての４リットルのビーカー中に入れ、室温で撹拌するために高速オーバーヘッドスターラー下に置いた。次に、この溶液を２ＬのＰａｒｒオートクレーブ中に移し、これをシールし、撹拌することなく１２５℃で一晩置いた。次に、２６１．９ｇの脱イオン水を添加して５０％の溶液が得られ、このサンプルを２ＬのＰａｒｒオートクレーブに戻し、１２５℃で一晩置いた。褐色透明溶液が得られた。１３Ｃ ＮＭＲは、１，６−ビス（４−メチルモルホリニウム）ヘキサンジブロミドに対して、１：２：２：１：１：１の比で、６５．５、６０．６、５９．７、４７．０、２５．３、及び２１．１ｐｐｍにピークを示し、出発物質である４−メチルモルホリンに対しては、２：２：１の比で、６４．９、５３．９、及び４４．５ｐｐｍにピークを示した。ジ四級化合物のアミンに対する比は、１：０．９であった。
【０１０２】
例７
例４からの溶液の４３９グラムを、丸底フラスコ中で１４７．５グラムのＡｇ２Ｏと接触させ、これらが混合されて、灰色不透明溶液を形成した。フラスコを、室温で撹拌するために高速オーバーヘッドスターラー下に１日置いた。このサンプルをろ過して析出した臭化銀を除去し、最終溶液を水分析に送り、それによって、サンプルが６７．０％の水を含むことが示された。
【０１０３】
例８
例５からの溶液の１２５７グラムを、丸底フラスコ中で３２４．２６グラムのＡｇ２Ｏと接触させ、これらが混合されて、灰色不透明溶液を形成した。フラスコを、室温で撹拌するために高速オーバーヘッドスターラー下に１日置いた。このサンプルをろ過して析出した臭化銀を除去し、最終溶液を水分析に送り、それによって、サンプルが６５．９％の水を含むことが示された。
【０１０４】
例９
例６からの溶液の１１１６グラムを、丸底フラスコ中で２９５．６４グラムのＡｇ２Ｏと接触させ、これらが混合されて、灰色不透明溶液を形成した。フラスコを、室温で撹拌するために高速オーバーヘッドスターラー下に１日置いた。このサンプルをろ過して析出した臭化銀を除去し、最終溶液を水分析に送り、それによって、サンプルが６０．９％の水を含むことが示された。
【０１０５】
例１０
２５．７３ｇの水を１２５ｍＬのテフロン瓶に秤量した。１２．５７ｇの１，４−ジブロモブタン、９９％を添加した。この混合物に、撹拌しながら１３．１５ｇの２，６−ジメチルモルホリン、９７．１％を添加した。水と２，６−ジメチルモルホリンが混合されて、濁った相が形成され、一方、より濃いジブロモブタンが底に残った。テフロン瓶を、二次容器としての４００ｍＬのビーカーに移し、９０℃の低加熱下、シールした状態で撹拌するためにホットプレート上に置いた。２日後、薄黄色透明溶液が得られた。サンプルを１３Ｃ ＮＭＲに送った。１−オキサ−４−アゾニウムシクロヘキサン誘導体２，６−ジメチルモルホリンは、２つの化合物を含んでおり、７５．５、５５．１、及び２１．９ｐｐｍに１：１：１の比でピークを有するＡ、並びに６９．１、５４．２、及び２０．５ｐｐｍに１：１：１の比でピークを有するＢである。２つの化合物の比は、２．７５Ａ対１Ｂである。黄色溶液は、１６．４、１７．２、１７．３、１７．７、２０．６、２１．０、２１．７、４６．５、４７．２、５９．４、６１．７、６３．０、６３．９、６４．０、６５．７、６８．１、６８．３、及び６９．８ｐｐｍに、それぞれ、１．２５、１．７５、３．７、４、１．２、４．１、２、１．８、４．３５、１．３、１．５、１．８、４、１．９５、及び４の積分比でピークを有する。理論に束縛されるものではないが、モルホリン誘導体中の化合物Ａ及びＢは、２，６−ジメチルモルホリンのシス及びトランス体であり、生成物のピークは、シス及びトランスの置換ジメチルモルホリン系塩の複数のコンフォマーに起因するものと考えられる。
【０１０６】
例１１
５９１．１５ｇの水を２Ｌのテフロン瓶に秤量した。４３６．２１ｇの１，４−ジブロモブタン、９９％（２モル）を添加した。撹拌しながら、この混合物に、３５２．０ｇのモルホリン、９９％（４モル）を添加した。水とモルホリンが混合されて、濁った相が形成され、一方、より濃いジブロモブタンが底に残った。テフロン瓶を二次容器としての４リットルのビーカーに移し、室温で撹拌するために高速オーバーヘッドスターラー下に置いた。強い発熱が発生した場合にこれを分散させるために、０．５〜１リットルの冷水を４リットルのビーカーに添加した。１．５〜２．５時間後、透明薄黄色溶液が得られた。さらなる１９７．０５ｇの水を添加混合して、最終溶液を形成した。１３Ｃ核磁気共鳴（ＮＭＲ）を用いて、生成物が８−オキサ−５−アゾニアスピロ［４．５］デカンブロミド溶液であることを確認した。このスピロ環式化合物に対するピークは、テトラメチルシランに対して６３．３、６２．３、５９．２、及び２１．４ｐｐｍに、それぞれ２：２：２：２の積分比で観察された。モルホリニウムに対する共鳴は、６３．９及び４３．５ｐｐｍに、２：２の積分比で存在した。スピロ環式化合物のモルホリニウムに対する比は、１：１であった。両化合物の存在は、イオンクロマトグラフィ／質量分析によって確認した。出発物質１，４−ジブロモブタンは、３３．５及び３５．５ｐｐｍに１３Ｃ ＮＭＲのピークを有する。ジブロモブタンに起因するピークは、最終溶液では観察されなかった。
【０１０７】
例１２
例６からの溶液の１２００グラムを、丸底フラスコ中で３６５．５グラムのＡｇ２Ｏと接触させ、これらが混合されて、灰色不透明溶液を形成した。フラスコを、室温で撹拌するために高速オーバーヘッドスターラー下に１日置いた。このサンプルをろ過して析出した臭化銀を除去し、最終溶液を水分析に送り、それによって、サンプルが６７．３％の水を含むことが示された。
【０１０８】
例１３
化合物ビス−Ｎ−メチルモルホリニウムヘキサンジヒドロキシド（例９）の３６．３６ｇを、１０．６７ｇの脱イオン水に添加した。この溶液を、撹拌するために高速オーバーヘッドスターラー下に置いた。１０．９０ｇのオルソリン酸を添加し（Ｈ３ＰＯ４；Ｆｉｓｈｅｒ Ｓｃｉｅｎｔｉｆｉｃ社、８５％）、続いて、６．２８ｇのシュードベーマイト（Ｃａｔａｐａｌ Ｂ；Ｓａｓｏｌ社 ７２．０％）を、そして、２．００ｇのコロイド状シリカ（Ｌｕｄｏｘ ＡＳ４０、Ｓｉｇｍａ−Ａｌｄｒｉｃｈ社、４０％）を添加した。このゲルを３０分間混合し、次にテフロンライニングしたステンレス鋼オートクレーブに移した。ゲルのモル酸化物比は：
１．０７ Ｐ２Ｏ５：１．０ Ａｌ２Ｏ３：０．３ ＳｉＯ２：１．０ ＢＮＭＭＨ（ＯＨ）２：５０ Ｈ２Ｏ
であった。
【０１０９】
ゲルを、オーブン中、１７５℃で１２０時間加熱し、転動させた。ゲルの冷却後、オートクレーブを開き、固体を遠心分離によって単離し、水で洗浄し、１００℃で一晩乾燥した。固体をｘ線回折で同定し、それは、ＳＡＰＯ−５６（ＡＦＸ相）であることが分かった。この物質のｘ線回折パターンを、図８に示す。
【０１１０】
例１４
化合物ビス−Ｎ−エチルモルホリニウムブタンジヒドロキシド（例７）の４１．１０ｇを、１０．４５ｇの脱イオン水に添加した。この溶液を、撹拌するために高速オーバーヘッドスターラー下に置いた。１０．４５ｇのオルソリン酸を添加し（Ｈ３ＰＯ４；Ｆｉｓｈｅｒ Ｓｃｉｅｎｔｉｆｉｃ社、８５％）、続いて、５．９７ｇのシュードベーマイト（Ｃａｔａｐａｌ Ｂ；Ｓａｓｏｌ社 ７２．０％）を、そして続いて、１．９０ｇのコロイド状シリカ（Ｌｕｄｏｘ ＡＳ４０、Ｓｉｇｍａ−Ａｌｄｒｉｃｈ社、４０％）を添加した。このゲルを３０分間混合し、次にテフロンライニングしたステンレス鋼オートクレーブに移した。ゲルのモル酸化物比は：
１．０８ Ｐ２Ｏ５：１．０ Ａｌ２Ｏ３：０．３ ＳｉＯ２：１．０ ＢＮＥＭＢ（ＯＨ）２：５０ Ｈ２Ｏ
であった。
【０１１１】
ゲルを、オーブン中、１７５℃で９６時間加熱し、転動させた。ゲルの冷却後、オートクレーブを開き、固体を遠心分離によって単離し、水で洗浄し、１００℃で一晩乾燥した。固体をｘ線回折で同定し、それは、ＳＡＰＯ−３４（ＣＨＡ相）であることが分かった。
【０１１２】
例１５
化合物ビス−Ｎ−メチルモルホリニウムヘキサンジヒドロキシド（例９）の２５．１８ｇを、６．３２ｇの脱イオン水に添加した。この溶液を、撹拌するために高速オーバーヘッドスターラー下に置いた。１０．１５ｇのオルソリン酸を添加し（Ｈ３ＰＯ４；Ｆｉｓｈｅｒ Ｓｃｉｅｎｔｉｆｉｃ社、８５％）、続いて、５．８０ｇのシュードベーマイト（Ｃａｔａｐａｌ Ｂ；Ｓａｓｏｌ社 ７２．０％）を、続いて、１．８５ｇのコロイド状シリカ（Ｌｕｄｏｘ ＡＳ４０、Ｓｉｇｍａ−Ａｌｄｒｉｃｈ社、４０％）を、そして続いて、１０．７７ｇのエチルトリメチルアンモニウムヒドロキシド（ＥＴＭＡ：２０％、ＳＡＣｈｅｍ社）を添加した。このゲルを３０分間混合し、次にテフロンライニングしたステンレス鋼オートクレーブに移した。ゲルのモル酸化物比は：
１．０８ Ｐ２Ｏ５：１．０ Ａｌ２Ｏ３：０．３ ＳｉＯ２：０．７５ ＢＮＭＭＨ（ＯＨ）２：０．５ ＥＴＭＡＯＨ：５０ Ｈ２Ｏ
であった。
【０１１３】
ゲルを、オーブン中、１７５℃で２８８時間加熱し、転動させた。ゲルの冷却後、オートクレーブを開き、固体を遠心分離によって単離し、水で洗浄し、１００℃で一晩乾燥した。固体をｘ線回折で同定し、それは、ＳＡＰＯ−３５（ＬＥＶ相）であることが分かった。
【０１１４】
例１６
化合物ビス−Ｎ−メチルモルホリニウムヘキサンジヒドロキシド（例９）の４３．４０ｇを、１３．７８ｇの脱イオン水に添加した。この溶液を、撹拌するために高速オーバーヘッドスターラー下に置いた。１２．８２ｇのオルソリン酸を添加し（Ｈ３ＰＯ４；Ｆｉｓｈｅｒ Ｓｃｉｅｎｔｉｆｉｃ社、８５％）、続いて、７．５０ｇのシュードベーマイト（Ｃａｔａｐａｌ Ｂ；Ｓａｓｏｌ社 ７２．０％）を、そして続いて、０．８０ｇのコロイド状シリカ（Ｌｕｄｏｘ ＡＳ４０、Ｓｉｇｍａ−Ａｌｄｒｉｃｈ社、４０％）を添加した。このゲルを３０分間混合し、次にテフロンライニングしたステンレス鋼オートクレーブに移した。ゲルのモル酸化物比は：
１．０５ Ｐ２Ｏ５：１．０ Ａｌ２Ｏ３：０．１ ＳｉＯ２：１．０ ＢＮＭＭＨ（ＯＨ）２：５０ Ｈ２Ｏ
であった。
【０１１５】
ゲルを、オーブン中、１７５℃で９６時間、静止状態で加熱した。ゲルの冷却後、オートクレーブを開き、固体を遠心分離によって単離し、水で洗浄し、１００℃で一晩乾燥した。固体をｘ線回折で同定し、それは、未反応のアルミナを少量含むＳＡＰＯ−３５（ＬＥＶ相）であることが分かった。
【０１１６】
本発明を、特定の実施形態を参照して、非常に詳細に記載してきたが、当業者であれば、本発明を、限定することではなく説明することを目的として提示してきた記載の実施形態以外によっても実施可能であることは理解される。従って、添付の特許請求の範囲は、本明細書に含まれる実施形態の記述に限定されるものではない。
【０１１７】
特定の実施形態
以下は、特定の実施形態と合わせて記載されるが、この記述は、上記の記述及び添付の特許請求の範囲を限定するのではなく、説明することを意図するものであることは理解される。
【０１１８】
本発明の第一の実施形態は、（ａ）水、置換炭化水素、及び１−オキサ−４−アザシクロヘキサン誘導体を含む水性混合物を作製すること；（ｂ）水性混合物を反応させること；（ｃ）オルガノ−１−オキサ−４−アゾニウムシクロヘキサン化合物を含む溶液を得ること；（ｄ）Ａｌ及びＰの反応性源、並びにこの溶液を含む反応混合物を形成すること；並びに（ｅ）反応混合物を加熱して、モレキュラーシーブを形成することを含む、アルミノホスフェート系モレキュラーシーブを合成するための方法である。本発明の実施形態は、この段落の第一の実施形態までを含むこの段落のこれまでの実施形態の１つ、いずれか、又はすべてであり、水性混合物を反応させる工程は、２０℃から１００℃の温度で行われる。本発明の実施形態は、この段落の第一の実施形態までを含むこの段落のこれまでの実施形態の１つ、いずれか、又はすべてであり、オルガノ−１−オキサ−４−アゾニウムシクロヘキサン化合物は、構造指向剤である。本発明の実施形態は、この段落の第一の実施形態までを含むこの段落のこれまでの実施形態の１つ、いずれか、又はすべてであり、置換炭化水素は、ブロモエタン、ヨードエタン、クロロプロパン、ブロモプロパン、ヨードプロパン、クロロブタン、１−ブロモブタン、２−ブロモブタン、ヨードブタン、１−ブロモ−２−メチルプロパン、２−ブロモ−２−メチルプロパン、クロロペンタン、ブロモペンタン、ヨードペンタン、２−ブロモペンタン、クロロヘキサン、ブロモヘキサン、ヨードヘキサン、ベンジルハライド、１−クロロ−２−フェニルエタン、１−ブロモ−２−フェニルエタン、１−ヨード−２−フェニルエタン、１−ハロメタンナフタレン、２−ハロメタンナフタレン、及びｐが４から１０の範囲である式ＣｐＨ２ｐ−１を有するハロ置換非オレフィン系アルキル基、並びにこれらの組み合わせから成る群より選択されるハロゲン置換アルカンである。本発明の実施形態は、この段落の第一の実施形態までを含むこの段落のこれまでの実施形態の１つ、いずれか、又はすべてであり、置換炭化水素は、１，３−ジクロロプロパン、１，４−ジクロロブタン、１，５−ジクロロペンタン、１，６−ジクロロヘキサン、１，３−ジブロモプロパン、１，４−ジブロモブタン、１，５−ジブロモペンタン、１，６−ジブロモヘキサン、１，３−ジヨードプロパン、１，４−ジヨードブタン、１，５−ジヨードペンタン、１，６−ジヨードヘキサン、１，２−ジブロモプロパン、１，３−ジブロモブタン、１，３−ジブロモペンタン、１，４−ジブロモペンタン、２，４−ジブロモペンタン、１，５−ジブロモヘキサン、１，４−ジブロモヘキサン、１，３−ジブロモヘキサン、２，４−ジブロモヘキサン、２，５−ジブロモヘキサン、２，５−ジブロモ−３−メチルヘキサン、２，５−ジブロモ−３，３−ジメチルヘキサン、１，４−ジブロモ−２−エチルブタン、及び１，２−ジブロモ−２−フェニルエタン、並びにこれらの組み合わせから成る群より選択される２から８個の炭素原子を有するジハロゲン置換アルカンである。本発明の実施形態は、この段落の第一の実施形態までを含むこの段落のこれまでの実施形態の１つ、いずれか、又はすべてであり、置換炭化水素は、１，２，３−トリブロモプロパン、１，２，４−トリブロモブタン、１，２，３−トリブロモブタン、１，３，５−トリブロモペンタン、１，２，４−トリブロモペンタン、１，２，３−トリブロモペンタン、１，３，６−トリブロモヘキサン、１，２，４−トリブロモヘキサン、１，２，５−トリブロモヘキサン、１，２，６−トリブロモヘキサン、１，３，４−トリブロモヘキサン、及び１，３，５−トリブロモヘキサン、並びにこれらの組み合わせから成る群より選択される３から８個の炭素原子を有するトリハロゲン置換アルカンである。本発明の実施形態は、この段落の第一の実施形態までを含むこの段落のこれまでの実施形態の１つ、いずれか、又はすべてであり、置換炭化水素は、α，ω−ジハロゲン置換アルカンである。本発明の実施形態は、この段落の第一の実施形態までを含むこの段落のこれまでの実施形態の１つ、いずれか、又はすべてであり、１−オキサ−４−アザシクロヘキサン誘導体は、式５、２−Ｒ１−２−Ｒ２−３−Ｒ３−３−Ｒ４−４−Ｒ９−５−Ｒ５−５−Ｒ６−６−Ｒ７−６−Ｒ８−１−オキサ−４−アザシクロヘキサンの構造を有し、式中、Ｒ１〜Ｒ９は、独立して、Ｈ、又は式ＣｎＨ２ｎ＋１を有するアルキル基から選択され、ここで、ｎは、１から４の範囲であり、及び分子中のＣ原子の総数は、４から１０の範囲である。本発明の実施形態は、この段落の第一の実施形態までを含むこの段落のこれまでの実施形態の１つ、いずれか、又はすべてであり、１−オキサ−４−アザシクロヘキサン誘導体は、４−ブチルモルホリン、４−プロピルモルホリン、４−エチルモルホリン、４−メチルモルホリン、モルホリン、２−メチルモルホリン、２，４−ジメチルモルホリン、４−エチル−２−メチルモルホリン、４−プロピル−２−メチルモルホリン、３−メチルモルホリン、３，４−ジメチルモルホリン、４−エチル−３−メチルモルホリン、４−プロピル−３−メチルモルホリン、５−メチルモルホリン、２，５−ジメチルモルホリン、４−エチル−５−メチルモルホリン、４−プロピル−５−メチルモルホリン、５−エチル−２−メチルモルホリン、６−メチルモルホリン、４，６−ジメチルモルホリン、４−エチル−６−メチルモルホリン、４−プロピル−６−メチルモルホリン、２，６−ジメチルモルホリン、２，４，６−トリメチルモルホリン、４−エチル−２，６−ジメチルモルホリン、２，３−ジメチルモルホリン、２，３，４−トリメチルモルホリン、４−エチル−２，３−ジメチルモルホリン、２，５−ジメチルモルホリン、２，４，５−トリメチルモルホリン、４−エチル−２，５−ジメチルモルホリン、２，２−ジメチルモルホリン、２，２，４−トリメチルモルホリン、４−エチル−２，２−ジメチルモルホリン、３，３−ジメチルモルホリン、３，３，４−トリメチルモルホリン、４−エチル−３，３−ジメチルモルホリン、５，５−ジメチルモルホリン、４，５，５−トリメチルモルホリン、４−エチル−５，５−ジメチルモルホリン、６，６−ジメチルモルホリン、４，６，６−トリメチルモルホリン、４−エチル−６，６−ジメチルモルホリン、５−エチル−２−メチルモルホリン、及びこれらの組み合わせから選択される。本発明の実施形態は、この段落の��一の実施形態までを含むこの段落のこれまでの実施形態の１つ、いずれか、又はすべてであり、１−オキサ−４−アザシクロヘキサン誘導体は、本質的にピラミッド反転を起こすことができない。本発明の実施形態は、この段落の第一の実施形態までを含むこの段落のこれまでの実施形態の１つ、いずれか、又はすべてであり、オルガノ−１−オキサ−４−アゾニウムシクロヘキサン化合物は、式１、２−Ｒ１−２−Ｒ２−３−Ｒ３−３−Ｒ４−４−Ｒ９−４−Ｒ１０−５−Ｒ５−５−Ｒ６−６−Ｒ７−６−Ｒ８−１−オキサ−４−アゾニウムシクロヘキサン＋−Ｘ−の構造を有し、式中、Ｒ１〜Ｒ８は、独立して、Ｈ、若しくは式ＣｎＨ２ｎ＋１を有するアルキル基から選択され、ここで、ｎは、１から４の範囲であり；Ｒ９及びＲ１０は、環サイズｑのヘテロ環を形成する式ＣｍＨ２ｍを有する環状アルキル基を形成し、ここで、ｍは、４から８の範囲であり、ｑは、５からｍ＋１の範囲であり；Ｘは、ハライド若しくはヒドロキシドであり；並びに、分子中のＣ原子の総数は、８から１７の範囲であるか；又は、式２、［ビス−Ν，Ν’−ジＲ９−（２，２’−ジＲ１−２，２’−ジＲ２−３，３’−ジＲ３−３，３’−ジＲ４−５，５’−ジＲ５−５，５’−ジＲ６−６，６’−ジＲ７−６，６’−ジＲ８−１，１’−オキサ−４，４’−アゾニウムシクロヘキサン）−Ｒ１０］２＋２Ｘ−の構造を有し、式中、Ｒ１〜Ｒ９は、独立して、Ｈ、若しくは式ＣｎＨ２ｎ＋１を有するアルキル基から選択され、ここで、ｎは、１から４の範囲であり、Ｘは、ハライド若しくはヒドロキシドであり、分子中のＣ原子の総数は、１１から２４の範囲であり、並びにＲ１０は、ｍが３から８の範囲である式ＣｍＨ２ｍを有するアルキル基であり、ｘ及びｙが１からｍより独立して選択されるアルキル鎖の位置ｘ及びｙで４及び４’Ｎ原子と結合しているか；又は、式３、［トリス−Ν，Ν’，Ｎ”−トリＲ９−（２，２’，２”−トリＲ１−２，２’，２”−トリＲ２−３，３’，３”−トリＲ３−３，３’，３”−トリＲ４−５，５’，５”−トリＲ５−５，５’，５”−トリＲ６−６，６’，６”−トリＲ７−６，６’，６”−トリＲ８−１，１’，１”−オキサ−４，４’，４”−アゾニウムシクロヘキサン）−Ｒ１０］３＋３Ｘ−の構造を有し、式中、Ｒ１〜Ｒ９は、独立して、Ｈ、若しくは式ＣｎＨ２ｎ＋１を有するアルキル基から選択され、ここで、ｎは、１から４の範囲であり、Ｘは、ハライド若しくはヒドロキシドであり、分子中のＣ原子の総数は、１５から３６の範囲であり、並びにＲ１０は、ｍが３から８の範囲である式ＣｍＨ２ｍ−１を有するアルキル基であり、ｘ、ｙ、及びｚが１からｍより独立して選択されるアルキル鎖の位置ｘ、ｙ、及びｚで４、４’、及び４”Ｎ原子と結合しているか；又は、式４、２−Ｒ１−２−Ｒ２−３−Ｒ３−３−Ｒ４−４−Ｒ９−４−Ｒ１０−５−Ｒ５−５−Ｒ６−６−Ｒ７−６−Ｒ８−１−オキサ−４−アゾニウムシクロヘキサン＋−Ｘ−の構造を有し、式中、Ｒ１〜Ｒ９は、独立して、Ｈ、若しくは式ＣｎＨ２ｎ＋１を有するアルキル基から選択され、Ｒ１０は、ｎが１から４の範囲である式ＣｎＨ２ｎ＋１を有するアルキル基、ベンジル、１−メチルナフタレン、２−メチルナフタレン、及びｐが４から１０の範囲である式ＣｐＨ２ｐ−１を有する非オレフィン系アルキル基から選択され、Ｘは、ハライド若しくはヒドロキシドであり、並びに分子中のＣ原子の総数は、４から１６の範囲であるか；又は、これらの組み合わせである。本発明の実施形態は、この段落の第一の実施形態までを含むこの段落のこれまでの実施形態の１つ、いずれか、又はすべてであり、工程（ｄ）は、Ａｌ、Ｓｉ、Ｐの反応性源、及び所望に応じて含まれてよい結晶モレキュラーシーブのシードの第一の混合物を形成すること、並びに第一の混合物を冷却することなく、第一の混合物に溶液を添加することを含む。本発明の実施形態は、この段落の第一の実施形態までを含むこの段落のこれまでの実施形態の１つ、いずれか、又はすべてであり、工程（ｄ）は、酸化物のモル比という意味で表される組成、ｒＲ  Ａｌ２Ｏ３  ｅＭｅＯｊ／２  ｐＰ２Ｏ５  ｓＳｉＯ２  ｇＨ２Ｏの反応混合物を形成することを含み、ここで、「ｒ」は、０．０１から１０の値を有し、「ｅ」は、０から１．０の値を有し、「ｊ」は、２から４の値を有し、「ｐ」は、０．５から８．０の値を有し、「ｓ」は、０から１．０の値を有し、「ｇ」は、５から４０００の値を有する。本発明の実施形態は、この段落の第一の実施形態までを含むこの段落のこれまでの実施形態の１つ、いずれか、又はすべてであり、反応混合物は、反応混合物中の酸化物の合計質量に対して、１から１０質量％のシードアルミノホスフェートを含む。
【０１１９】
本発明の第二の実施形態は、（ａ）水、置換炭化水素、及び１−オキサ−４−アザシクロヘキサン誘導体を含む水性混合物を作製すること；（ｂ）水性混合物を反応させること；（ｃ）オルガノ−１−オキサ−４−アゾニウムシクロヘキサン化合物を含む溶液を得ること；（ｄ）Ａｌ及びＰの反応性源、並びにこの溶液を含む反応混合物を形成すること；並びに（ｅ）反応混合物を加熱して、モレキュラーシーブを形成することを含む方法によって作製されたアルミノホスフェート系モレキュラーシーブである。オルガノ−１−オキサ−４−アゾニウムシクロヘキサン化合物が、構造指向剤であり、この構造指向剤を得る際に、有機溶媒が用いられない、請求項１５に記載のモレキュラーシーブ。１−オキサ−４−アザシクロヘキサン誘導体が、本質的にピラミッド反転を起こすことができない、請求項１５に記載のモレキュラーシーブ。工程（ｄ）が、Ａｌ、Ｓｉ、Ｐの反応性源、及び所望に応じて含まれてよい結晶モレキュラーシーブのシードの第一の混合物を形成すること、並びに第一の混合物を冷却することなく、第一の混合物に溶液を添加することを含む、請求項１５に記載のモレキュラーシーブ。工程（ｄ）が、酸化物のモル比という意味で表される組成、ｒＲ Ａｌ２Ｏ３ ｅＭｅＯｊ／２ ｐＰ２Ｏ５ ｓＳｉＯ２ ｇＨ２Ｏの反応混合物を形成することを含み、ここで、「ｒ」は、０．０１から１０の値を有し、「ｅ」は、０から１．０の値を有し、「ｊ」は、２から４の値を有し、「ｐ」は、０．５から８．０の値を有し、「ｓ」は、０から１．０の値を有し、「ｇ」は、５から４０００の値を有する、請求項１に記載のモレキュラーシーブ。反応混合物が、反応混合物中の酸化物の合計質量に対して、１から１０質量％のシードアルミノホスフェートを含む、請求項１に記載のモレキュラーシーブ。
【０１２０】
さらに詳細に説明することなく、上記の記述を用いることで、当業者であれば、本発明を最大限に利用することができ、並びに本発明の本質的な特徴を容易に確認して、その趣旨及び範囲から逸脱することなく、本発明に様々な変更及び改変を行い、それを様々な使用法及び条件に適合させることができるものと考えられる。上記の好ましい特定の実施形態は、従って、本開示の残りの部分をいかなる形であっても限定するものではなく、単なる実例として解釈されるべきであり、並びに添付の特許請求の範囲の範囲内に含まれる様々な改変及び同等の配置を含むことを意図するものとして解釈されるべきである。
【０１２１】
上述において、特に断りのない限り、すべての温度は、摂氏度で示され、すべての部及びパーセントは、質量基準である。
【図１】
2018500264.tif 000004
【図２】
2018500264.tif 000005
【図３】
2018500264.tif 000006
【図４】
2018500264.tif 000007
【図５】
2018500264.tif 000008
【図６Ａ】
2018500264.tif 000009
【図６Ｂ】
2018500264.tif 000010
【図７Ａ】
2018500264.tif 000011
【図７Ｂ】
2018500264.tif 000012
【図７Ｃ】
2018500264.tif 000013
【図７Ｄ】
2018500264.tif 000014
【図８】
2018500264.tif 000015
【国際調査報告】
2018500264.tif 000016